(57)【要約】本発明は、焦点調整可能写真の同期請求をサーバーにアップロードすることと、前記サーバーから返された、同期しようとする焦点調整可能写真組を標識するためのＩＤ標識を受信することと、少なくとも前記ＩＤ標識と、前記焦点調整可能写真組の中の各写真のデータと、前記焦点調整可能写真組にける各写真を標識するための前記各写真に対応する組内の番号および焦点調整可能写真組のインデックス写真に対応する組内の番号とを含む、焦点調整可能写真組のアップロードデータを前記サーバーにアップロードすることとを含む、写真の同期方法、装置、プログラム及び記録媒体に関する。本発明は、同期する時に占用するネットワークリソースを節約することができる。【選択図】  図１
2016522949.tif 000002
【特許請求の範囲】
【請求項１】
焦点調整可能写真の同期請求をサーバーにアップロードすることと、
前記サーバーから返された、同期しようとする焦点調整可能写真組を標識するためのＩＤ標識を受信することと、
少なくとも、前記ＩＤ標識と、前記焦点調整可能写真組の中の各写真のデータと、前記焦点調整可能写真組における各写真を標識するための、前記各写真に対応する組内の番号および前記焦点調整可能写真組のインデックス写真に対応する組内の番号とを含む、焦点調整可能写真組のアップロードデータを前記サーバーにアップロードすることとを含む、写真の同期方法。
【請求項２】
前記焦点調整可能写真組のインデックス写真を変更するに際して、前記ＩＤ標識と変更後のインデックス写真に対応する組内の番号とを含むインデックス写真変更情報をサーバーにアップロードし、前記サーバーが前記焦点調整可能写真組のインデックス写真の変更を実行することをさらに含む、請求項１に記載の方法。
【請求項３】
第１端末から発送された、焦点調整可能写真の同期請求を受信することと、
同期しようとする焦点調整可能写真組を標識するためのＩＤ標識を前記第１端末に返送することと、
少なくとも、前記ＩＤ標識と、前記焦点調整可能写真組の中の各写真のデータと、前記焦点調整可能写真組における各写真を標識するための、前記各写真に対応する組内の番号および前記焦点調整可能写真組のインデックス写真に対応する組内の番号とを含む、焦点調整可能写真組のアップロードデータを第１端末から受信することと、
前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定することとを含む、写真の同期方法。
【請求項４】
前記第１端末からアップロードされた、前記ＩＤ標識と変更後のインデックス写真に対応する組内の番号とを含むインデックス写真の変更情報を受信することと、
前記ＩＤ標識と変更後のインデックス写真に対応する組内の番号により、前記ＩＤ標識で標識された焦点調整可能写真組のインデックス写真を変更することとをさらに含む、請求項３の方法。
【請求項５】
焦点調整可能写真の同期指示を第２端末に発送することと、
前記第２端末から返された、焦点調整可能写真の表示をサポートするか否かという提示情報を受信することと、
前記第２端末が焦点調整可能写真の表示をサポートする場合、焦点調整可能写真組のダウンロードデータを前記第２端末に発送することと、
前記第２端末が焦点調整可能写真の表示をサポートしない場合、焦点調整可能写真組のインデックス写真を前記第２端末に発送することとを含む、写真の同期方法。
【請求項６】
前記第２端末が焦点調整可能写真の表示をサポートする場合、焦点調整可能写真組のダウンロードデータを前記第２端末に発送することは、
少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記第２端末に発送することと、
前記焦点調整可能写真組の各写真を前記第２端末に発送し、前記インデックス写真に対応する組内の番号により、前記焦点調整可能写真組のインデックス写真を設置することとをさらに含む、請求項５に記載の方法。
【請求項７】
前記焦点調整可能写真組の各写真を前記第２端末に発送することは、
前記焦点調整可能写真組のインデックス写真に対応する組内の番号により、優先的に前記焦点調整可能写真組のインデックス写真を前記第２端末に発送することを含む、請求項６に記載の方法。
【請求項８】
前記焦点調整可能写真組のインデックス写真を変更する時、
前記第２端末が焦点調整可能写真の表示をサポートする場合、前記ＩＤ標識と変更後のインデックス写真に対応する組内の番号を含む前記インデックス写真の変更情報を前記第２端末に発送し、前記第２端末が前記焦点調整可能写真組のインデックス写真の変更を実行することと、
前記第２端末が焦点調整可能写真の表示をサポートしない場合、前記焦点調整可能写真組の変更後のインデックス写真を、変更前のインデックス写真を入れ替えるように前記第２端末に発送することをさらに含む、請求項６に記載の方法。
【請求項９】
前記第２端末に発送した前記インデックス写真は、写真に対応するサムネイルまたは写真のデータである、請求項５〜８の何れか一項に記載の方法。
【請求項１０】
前記第２端末に発送した前記焦点調整可能写真組の各写真は、写真に対応するサムネイルまたは写真のデータである、請求項６〜８の何れか一項に記載の方法。
【請求項１１】
サーバーから発送された焦点調整可能写真の同期指示を受信することと、
焦点調整可能写真の表示をサポートするか否かという提示情報をサーバーに返送することと、
焦点調整可能写真の表示をサポートする場合、サーバーから発送された焦点調整可能写真組のダウンロードデータを受信することと、
焦点調整可能写真の表示をサポートしない場合、サーバーから発送された前記焦点調整可能写真組のインデックス写真を受信することとを含む、写真の同期方法。
【請求項１２】
前記焦点調整可能写真の表示をサポートする場合、サーバーから発送された焦点調整可能写真組のダウンロードデータを受信することは、
少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記サーバーから受信することと、
前記パス情報により、前記サーバーから発送された焦点調整可能写真組の各写真をダウンロードすることと、
前記インデックス写真に対応する組内の番号により、前記焦点調整可能写真組のインデックス写真を設置することとを含む、請求項１１に記載の方法。
【請求項１３】
前記パス情報により、前記焦点調整可能写真組の各写真をダウンロードすることは、
前記焦点調整可能写真組のインデックス写真に対応する組内の番号により、優先的に前記焦点調整可能写真組のインデックス写真をダウンロードすることを含む、請求項１２に記載の方法。
【請求項１４】
前記焦点調整可能写真組のインデックス写真を変更する時、
焦点調整可能写真の表示をサポートする場合、前記ＩＤ標識と変更後のインデックス写真に対応する組内の番号を含む前記インデックス写真の変更情報をサーバーから受信し、前記ＩＤ標識と変更後のインデックス写真に対応する組内の番号により、前記ＩＤ標識で標識された焦点調整可能写真組のインデックス写真を変更することと、
焦点調整可能写真の表示をサポートしない場合、前記焦点調整可能写真組の変更後のインデックス写真を、変更前のインデックス写真を入れ替えるようにサーバーから受信することをさらに含む、請求項１２に記載の方法。
【請求項１５】
前記サーバーから発送された前記インデックス写真は、写真に対応するサムネイルまたは写真のデータである、請求項１１〜１４の何れか一項に記載の方法。
【請求項１６】
前記サーバーから発送された焦点調整可能写真組の各写真は、写真に対応するサムネイルまたは写真のデータである、請求項１２〜１４の何れか一項に記載の方法。
【請求項１７】
焦点調整可能写真の同期請求をサーバーにアップロードするための焦点調整可能写真同期請求アップロードモジュールと、
前記サーバーから返された、同期しようとする焦点調整可能写真組を標識するためのＩＤ標識を受信するＩＤ標識受信モジュールと、
少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードする写真アップロードモジュールとを含む、第１端末。
【請求項１８】
前記焦点調整可能写真組のインデックス写真を変更する時、前記ＩＤ標識と変更後のインデックス写真に対応する組内の番号を含むインデックス写真の変更情報をサーバーにアップロードし、前記サーバーが前記焦点調整可能写真組のインデックス写真の変更を実行する、変更情報アップロードモジュールをさらに含む、請求項１７に記載の端末。
【請求項１９】
第１端末から発送された焦点調整可能写真の同期請求を受信するための焦点調整可能写真の同期請求受信モジュールと、
アップロードされる焦点調整可能写真組を標識するためのＩＤ標識を前記第１端末に返すＩＤ標識フィードバックモジュールと、
少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記第１端末から受信する、アップロードデータ受信モジュールと、
前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定する写真記憶モジュールとを含む、サーバー。
【請求項２０】
前記第１端末からアップロードされた、前記ＩＤ標識と変更後のインデックス写真に対応する組内の番号を含むインデックス写真変更情報を受信する、変更情報受信モジュールと、
前記ＩＤ標識と変更後のインデックス写真に対応する組内の番号により、前記ＩＤ標識で標識された焦点調整可能写真組のインデックス写真を変更する、インデックス写真変更モジュールとをさらに含む、請求項１９に記載のサーバー。
【請求項２１】
焦点調整可能写真の同期指示を第２端末に発送する、同期指示発送モジュールと、
第２端末から返された、焦点調整可能写真の表示をサポートするか否かという提示情報を受信する、提示情報受信モジュールと、
前記第２端末が焦点調整可能写真の表示をサポートする場合、焦点調整可能写真組のダウンロードデータを前記第２端末に発送する、第１発送モジュールと、
前記第２端末が焦点調整可能写真の表示をサポートしない場合、焦点調整可能写真組のインデックス写真を前記第２端末に発送する、第２発送モジュールとを含む、サーバー。
【請求項２２】
前記第１発送モジュールは、
少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記第２端末に発送する、ダウンロードデータ発送ユニットと、
前記焦点調整可能写真組の各写真を前記第２端末に発送し、前記インデックス写真に対応する組内の番号により、前記焦点調整可能写真組のインデックス写真を設置する、写真発送ユニットとを含む、請求項２１に記載のサーバー。
【請求項２３】
前記写真発送ユニットは、前記焦点調整可能写真組のインデックス写真に対応する組内の番号により、優先的に前記焦点調整可能写真組のインデックス写真を前記第２端末に発送する、請求項２２に記載のサーバー。
【請求項２４】
前記第２端末が焦点調整可能写真の表示をサポートする場合、前記ＩＤ標識と変更後のインデックス写真に対応する組内の番号を含むインデックス写真の変更情報を前記第２端末に発送し、前記第２端末が前記焦点調整可能写真組のインデックス写真の変更を実行する、第１変更情報発送モジュールと、
前記第２端末が焦点調整可能写真の表示をサポートしない場合、前記焦点調整可能写真組の変更後のインデックス写真を、変更前のインデックス写真を入れ替えるように前記第２端末に発送する、第２変更情報発送モジュールと
をさらに含む、請求項２２に記載のサーバー。
【請求項２５】
前記第２端末に発送した前記インデックス写真は、写真に対応するサムネイルまたは写真のデータである、請求項２１〜２４の何れか一項に記載のサーバー。
【請求項２６】
前記第２端末に発送した前記焦点調整可能写真組の各写真は、写真に対応するサムネイルまたは写真のデータである、請求項２２〜２４の何れか一項に記載のサーバー。
【請求項２７】
サーバーから発送された、焦点調整可能写真の同期指示を受信する、同期指示受信モジュールと、
焦点調整可能写真の表示をサポートするか否かという提示情報をサーバーに返送する、提示情報返送モジュールと、
焦点調整可能写真の表示をサポートする場合、サーバーから発送された、焦点調整可能写真組のダウンロードデータを受信する、第１データ受信モジュールと、
焦点調整可能写真の表示をサポートしない場合、サーバーから発送された、焦点調整可能写真組のインデックス写真を受信する、第２データ受信モジュールとを含む、第２端末。
【請求項２８】
前記第１データ受信モジュールは、
少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、前記サーバーから発送された焦点調整可能写真組のダウンロードデータを受信する、ダウンロードデータ受信ユニットと、
前記パス情報により、前記サーバーから発送された焦点調整可能写真組の各写真をダウンロードする、写真ダウンロードユニットと、
前記インデックス写真に対応する組内の番号により、前記焦点調整可能写真組のインデックス写真を設置する、インデックス写真設置ユニットとを含む、請求項２７に記載の端末。
【請求項２９】
前記写真ダウンロードユニットは、前記焦点調整可能写真組のインデックス写真に対応する組内の番号により、優先的に前記焦点調整可能写真組のインデックス写真をダウンロードする、請求項２８に記載の端末。
【請求項３０】
焦点調整可能写真の表示をサポートする場合、サーバーから発送された、前記ＩＤ標識と変更後のインデックス写真に対応する組内の番号を含むインデックス写真の変更情報を受信し、前記ＩＤ標識と変更後のインデックス写真に対応する組内の番号により、前記ＩＤ標識で標識された焦点調整可能写真組のインデックス写真を変更する、第１変更情報受信モジュールと、
焦点調整可能写真の表示をサポートしない場合、サーバーから発送された、前記焦点調整可能写真組の変更後のインデックス写真を、変更前のインデックス写真を入れ替えるように受信する、第２変更情報受信モジュールと
をさらに含む、請求項２８に記載の端末。
【請求項３１】
前記サーバーから発送された前記インデックス写真は、写真に対応するサムネイルまたは写真のデータである、請求項２７〜３０の何れか一項に記載の端末。
【請求項３２】
前記サーバーから発送された前記焦点調整可能写真組の各写真は、写真に対応するサムネイルまたは写真のデータである、請求項２８〜３０の何れか一項に記載の端末。
【請求項３３】
プロセッサと、
プロセッサの実行可能な指令を記憶するためのメモリとを備え、
前記プロセッサは、
焦点調整可能写真の同期請求をサーバーにアップロードし、
前記サーバーから返された、同期しようとする焦点調整可能写真組を標識するためのＩＤ標識を受信し、
少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードする、ように配置されている、第１端末。
【請求項３４】
プロセッサと、
プロセッサの実行可能な指令を記憶するためのメモリとを備え、
前記プロセッサは、
第１端末から発送された、焦点調整可能写真の同期請求を受信し、
同期しようとする焦点調整可能写真組を標識するためのＩＤ標識を前記第１端末に返し、
少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、前記第１端末がアップロードした焦点調整可能写真組のアップロードデータを受信し、
前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定する、ように配置されている、サーバー。
【請求項３５】
プロセッサと、
プロセッサの実行可能な指令を記憶するためのメモリとを備え、
前記プロセッサは、
焦点調整可能写真の同期指示を第２端末に発送し、
前記第２端末から返された、焦点調整可能写真の表示をサポートするか否かという提示情報を受信し、
前記第２端末は焦点調整可能写真の表示をサポートする場合、焦点調整可能写真組のダウンロードデータを前記第２端末に発送し、
前記第２端末は焦点調整可能写真の表示をサポートしない場合、前記焦点調整可能写真組のインデックス写真を前記第２端末に発送する、ように配置されている、サーバー。
【請求項３６】
プロセッサと、
プロセッサの実行可能な指令を記憶するためのメモリとを備え、
前記プロセッサは、
サーバーから発送された、焦点調整可能写真の同期指示を受信し、
焦点調整可能写真の表示をサポートするか否かという提示情報をサーバーに返送し、
焦点調整可能写真の表示をサポートする場合、サーバーから発送された、焦点調整可能写真組のダウンロードデータを受信し、
焦点調整可能写真の表示をサポートしない場合、サーバーから発送された、焦点調整可能写真組のインデックス写真を受信する、ように配置されている、第２端末。
【発明の詳細な説明】
【関連出願の相互参照】
【０００１】
本願は、出願番号２０１４１０１７７５１３．Ｘ、出願日２０１４年０４月２９日の中国特許出願に基づいて提出されたものであり、該中国特許出願の優先権を要求し、該中国特許出願のすべての内容を参考として本願に取り込む。
【技術分野】
【０００２】
本発明は、端末技術分野に関し、特に写真の同期方法および装置に関する。
【背景技術】
【０００３】
ＵｂiＦｏｃuｓとは、写真を撮った後の焦点合わせのための、写真を撮った後に焦点を調整する技術のことである。この技術のおかげで、ユーザは写真を撮ってから焦点を合わせることができ、異なる被写界深度を実現するように、すでに撮った写真の中で焦点を任意に選ぶことができる。
【０００４】
ＵｂiＦｏｃuｓ撮影はユーザエクスペリエンスを大幅に強化させた。ＵｂiＦｏｃuｓ写真をクラウド（cloud）にアップロードして複数の端末との間に同期することは、ユーザの切実なニーズとなる。この方式により、ローカル記憶の圧力を低減するだけではなく、ユーザの写真データもより安全になる。さらに、ＵｂiＦｏｃuｓ撮影をサポートしない端末でも、ユーザは新たにＵｂiＦｏｃuｓ焦点合わせを操作することができる。
【０００５】
従来技術では、クラウドは、アップロードされた一組のＵｂiＦｏｃuｓ写真を表示する時、通常デフォルト方式でその中の一枚のＵｂiＦｏｃuｓ写真をインデクスとして表示する。ユーザはインデクスとしてのＵｂiＦｏｃuｓ写真を変更する場合、修正後のＵｂiＦｏｃuｓインデックス写真を新たにクラウドにアップロードしなければならない。
【０００６】
つまり、ＵｂiＦｏｃuｓインデックス写真を変更してアップロードする過程において、ＵｂiＦｏｃuｓインデックス写真を新たにアップロードする必要があるので、ネットワークの流量と帯域幅を占めてしまう。特に変更したインデックスとしてのＵｂiＦｏｃuｓ写真のデータが大きい場合、写真のアップロード効率を大いに影響することになる。
【発明の概要】
【発明が解決しようとする課題】
【０００７】
従来技術に存在する問題を解決するため、本発明は、同期する時に占用するネットワークリソースを節約することができる写真の同期方法および装置を提供する。
【課題を解決するための手段】
【０００８】
本発明の実施態様の第１方面は、焦点を調整可能な写真（以下、単に焦点調整可能写真と称する）の同期請求をサーバーにアップロードすることと、前記サーバーから返された、同期しようとする焦点調整可能写真の組（以下、単に焦点調整可能写真組と称する）を標識するためのＩＤ標識を受信することと、少なくとも、前記ＩＤ標識と、前記焦点調整可能写真組の中の各写真のデータと、前記焦点調整可能写真組における各写真を標識するための、前記各写真に対応する組内の番号および前記焦点調整可能写真組のインデックス写真に対応する組内の番号とを含む、焦点調整可能写真組のアップロードデータを前記サーバーにアップロードすることとを含む、写真の同期方法を提供する。
【０００９】
前記写真の同期方法は、前記焦点調整可能写真組のインデックス写真を変更するに際して、前記ＩＤ標識と変更後のインデックス写真に対応する組内の番号とを含むインデックス写真変更情報をサーバーにアップロードし、前記サーバーが前記焦点調整可能写真組のインデックス写真の変更を実行することをさらに含む。
【００１０】
本発明の実施態様の第２方面は、第１端末から発送された、焦点調整可能写真の同期請求を受信することと、同期しようとする焦点調整可能写真組を標識するためのＩＤ標識を前記第１端末に返送することと、少なくとも、前記ＩＤ標識と、前記焦点調整可能写真組の中の各写真のデータと、前記焦点調整可能写真組における各写真を標識するための、前記各写真に対応する組内の番号および前記焦点調整可能写真組のインデックス写真に対応する組内の番号とを含む、焦点調整可能写真組のアップロードデータを第１端末から受信することと、前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定することとを含む、写真の同期方法を提供する。
【００１１】
当該写真の同期方法は、前記第１端末からアップロードされた、前記ＩＤ標識と変更後のインデックス写真に対応する組内の番号とを含むインデックス写真の変更情報を受信することと、前記ＩＤ標識と変更後のインデックス写真に対応する組内の番号により、前記ＩＤ標識で標識された焦点調整可能写真組のインデックス写真を変更することとをさらに含む。
【００１２】
本発明の実施態様の第３方面は、焦点調整可能写真の同期指示を第２端末に発送することと、前記第２端末から返された、焦点調整可能写真の表示をサポートするか否かという提示情報を受信することと、前記第２端末が焦点調整可能写真の表示をサポートする場合、焦点調整可能写真組のダウンロードデータを前記第２端末に発送することと、前記第２端末が焦点調整可能写真の表示をサポートしない場合、焦点調整可能写真組のインデックス写真を前記第２端末に発送することとを含む、写真の同期方法を提供する。
【００１３】
前記同期方法は、前記第２端末が焦点調整可能写真の表示をサポートする場合、焦点調整可能写真組のダウンロードデータを前記第２端末に発送することは、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記第２端末に発送することと、前記焦点調整可能写真組の各写真を前記第２端末に発送し、前記インデックス写真に対応する組内の番号により、前記焦点調整可能写真組のインデックス写真を設置することとをさらに含む。
【００１４】
前記同期方法は、前記焦点調整可能写真組の各写真を前記第２端末に発送することは、前記焦点調整可能写真組のインデックス写真に対応する組内の番号により、優先的に前記焦点調整可能写真組のインデックス写真を前記第２端末に発送することをさらに含む。
【００１５】
前記同期方法は、前記焦点調整可能写真組のインデックス写真を変更する時、前記第２端末が焦点調整可能写真の表示をサポートする場合、前記ＩＤ標識と変更後のインデックス写真に対応する組内の番号を含む前記インデックス写真の変更情報を前記第２端末に発送し、前記第２端末が前記焦点調整可能写真組のインデックス写真の変更を実行することと、前記第２端末が焦点調整可能写真の表示をサポートしない場合、前記焦点調整可能写真組の変更後のインデックス写真を、変更前のインデックス写真を入れ替えるように前記第２端末に発送することをさらに含む。
【００１６】
さらに、前記第２端末に発送した前記インデックス写真は、写真に対応するサムネイルまたは写真のデータである。
【００１７】
さらに、前記第２端末に発送した前記焦点調整可能写真組の各写真は、写真に対応するサムネイルまたは写真のデータである。
【００１８】
本発明の実施態様の第４方面は、サーバーから発送された焦点調整可能写真の同期指示を受信することと、焦点調整可能写真の表示をサポートするか否かという提示情報をサーバーに返送することと、焦点調整可能写真の表示をサポートする場合、サーバーから発送された焦点調整可能写真組のダウンロードデータを受信することと、焦点調整可能写真の表示をサポートしない場合、サーバーから発送された前記焦点調整可能写真組のインデックス写真を受信することとを含む、写真の同期方法を提供する。
【００１９】
前記同期方法は、前記焦点調整可能写真の表示をサポートする場合、サーバーから発送された焦点調整可能写真組のダウンロードデータを受信することは、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記サーバーから受信することと、前記パス情報により、前記サーバーから発送された焦点調整可能写真組の各写真をダウンロードすることと、前記インデックス写真に対応する組内の番号により、前記焦点調整可能写真組のインデックス写真を設置することとをさらに含む。
【００２０】
前記パス情報により、前記焦点調整可能写真組の各写真をダウンロードすることは、前記焦点調整可能写真組のインデックス写真に対応する組内の番号により、優先的に前記焦点調整可能写真組のインデックス写真をダウンロードすることを含む。
【００２１】
前記同期方法は、前記焦点調整可能写真組のインデックス写真を変更する時、焦点調整可能写真の表示をサポートする場合、前記ＩＤ標識と変更後のインデックス写真に対応する組内の番号を含む前記インデックス写真の変更情報をサーバーから受信し、前記ＩＤ標識と変更後のインデックス写真に対応する組内の番号により、前記ＩＤ標識で標識された焦点調整可能写真組のインデックス写真を変更することと、焦点調整可能写真の表示をサポートしない場合、前記焦点調整可能写真組の変更後のインデックス写真を、変更前のインデックス写真を入れ替えるようにサーバーから受信することをさらに含む。
【００２２】
さらに、前記サーバーから発送された前記インデックス写真は、写真に対応するサムネイルまたは写真のデータである。
【００２３】
さらに、前記サーバーから発送された焦点調整可能写真組の各写真は、写真に対応するサムネイルまたは写真のデータである。
【００２４】
本発明の実施態様の第５方面は、焦点調整可能写真の同期請求をサーバーにアップロードするための焦点調整可能写真同期請求アップロードモジュールと、前記サーバーから返された、同期しようとする焦点調整可能写真組を標識するためのＩＤ標識を受信するＩＤ標識受信モジュールと、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードする写真アップロードモジュールとを含む、第１端末を提供する。
【００２５】
前記第１端末は、前記焦点調整可能写真組のインデックス写真を変更する時、前記ＩＤ標識と変更後のインデックス写真に対応する組内の番号を含むインデックス写真の変更情報をサーバーにアップロードし、前記サーバーが前記焦点調整可能写真組のインデックス写真の変更を実行する、変更情報アップロードモジュールをさらに含む。
【００２６】
本発明の実施態様の第６方面は、第１端末から発送された焦点調整可能写真の同期請求を受信するための焦点調整可能写真の同期請求受信モジュールと、アップロードされる焦点調整可能写真組を標識するためのＩＤ標識を前記第１端末に返すＩＤ標識フィードバックモジュールと、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記第１端末から受信する、アップロードデータ受信モジュールと、前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定する写真記憶モジュールとを含む、サーバーを提供する。
【００２７】
前記サーバーは、前記第１端末からアップロードされた、前記ＩＤ標識と変更後のインデックス写真に対応する組内の番号を含むインデックス写真変更情報を受信する、変更情報受信モジュールと、前記ＩＤ標識と変更後のインデックス写真に対応する組内の番号により、前記ＩＤ標識で標識された焦点調整可能写真組のインデックス写真を変更する、インデックス写真変更モジュールとをさらに含む。
【００２８】
本発明の実施態様の第７の方面は、焦点調整可能写真の同期指示を第２端末に発送する、同期指示発送モジュールと、第２端末から返された、焦点調整可能写真の表示をサポートするか否かという提示情報を受信する、提示情報受信モジュールと、前記第２端末が焦点調整可能写真の表示をサポートする場合、焦点調整可能写真組のダウンロードデータを前記第２端末に発送する、第１発送モジュールと、前記第２端末が焦点調整可能写真の表示をサポートしない場合、焦点調整可能写真組のインデックス写真を前記第２端末に発送する、第２発送モジュールとを含む、サーバーを提供する。
【００２９】
前記第１発送モジュールは、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記第２端末に発送する、ダウンロードデータ発送ユニットと、前記焦点調整可能写真組の各写真を前記第２端末に発送し、前記インデックス写真に対応する組内の番号により、前記焦点調整可能写真組のインデックス写真を設置する、写真発送ユニットとを含む。
【００３０】
前記サーバーにおいて、前記写真発送ユニットは、前記焦点調整可能写真組のインデックス写真に対応する組内の番号により、優先的に前記焦点調整可能写真組のインデックス写真を前記第２端末に発送する。
【００３１】
前記サーバーは、前記第２端末が焦点調整可能写真の表示をサポートする場合、前記ＩＤ標識と変更後のインデックス写真に対応する組内の番号を含むインデックス写真の変更情報を前記第２端末に発送し、前記第２端末が前記焦点調整可能写真組のインデックス写真の変更を実行する、第１変更情報発送モジュールと、前記第２端末が焦点調整可能写真の表示をサポートしない場合、前記焦点調整可能写真組の変更後のインデックス写真を、変更前のインデックス写真を入れ替えるように前記第２端末に発送する、第２変更情報発送モジュールとをさらに含む。
【００３２】
さらに、前記第２端末に発送した前記インデックス写真は、写真に対応するサムネイルまたは写真のデータである。
【００３３】
さらに、前記第２端末に発送した前記焦点調整可能写真組の各写真は、写真に対応するサムネイルまたは写真のデータである。
【００３４】
本発明の実施態様の第８の方面は、サーバーから発送された、焦点調整可能写真の同期指示を受信する、同期指示受信モジュールと、焦点調整可能写真の表示をサポートするか否かという提示情報をサーバーに返送する、提示情報返送モジュールと、焦点調整可能写真の表示をサポートする場合、サーバーから発送された、焦点調整可能写真組のダウンロードデータを受信する、第１データ受信モジュールと、焦点調整可能写真の表示をサポートしない場合、サーバーから発送された、焦点調整可能写真組のインデックス写真を受信する、第２データ受信モジュールとを含む、第２端末を提供する。
【００３５】
前記端末において、前記第１データ受信モジュールは、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、前記サーバーから発送された焦点調整可能写真組のダウンロードデータを受信する、ダウンロードデータ受信ユニットと、前記パス情報により、前記サーバーから発送された焦点調整可能写真組の各写真をダウンロードする、写真ダウンロードユニットと、前記インデックス写真に対応する組内の番号により、前記焦点調整可能写真組のインデックス写真を設置する、インデックス写真設置ユニットとを含む。
【００３６】
さらに、前記写真ダウンロードユニットは、前記焦点調整可能写真組のインデックス写真に対応する組内の番号により、優先的に前記焦点調整可能写真組のインデックス写真をダウンロードする。
【００３７】
前記端末は、焦点調整可能写真の表示をサポートする場合、サーバーから発送された、前記ＩＤ標識と変更後のインデックス写真に対応する組内の番号を含むインデックス写真の変更情報を受信し、前記ＩＤ標識と変更後のインデックス写真に対応する組内の番号により、前記ＩＤ標識で標識された焦点調整可能写真組のインデックス写真を変更する、第１変更情報受信モジュールと、焦点調整可能写真の表示をサポートしない場合、サーバーから発送された、前記焦点調整可能写真組の変更後のインデックス写真を、変更前のインデックス写真を入れ替えるように受信する、第２変更情報受信モジュールとをさらに含む。
【００３８】
さらに、前記サーバーから発送された前記インデックス写真は、写真に対応するサムネイルまたは写真のデータである。
【００３９】
さらに、前記サーバーから発送された前記焦点調整可能写真組の各写真は、写真に対応するサムネイルまたは写真のデータである。
【００４０】
本発明の実施態様の第９の方面は、プロセッサと、プロセッサの実行可能な指令を記憶するためのメモリとを備え、前記プロセッサは、焦点調整可能写真の同期請求をサーバーにアップロードし、前記サーバーから返された、同期しようとする焦点調整可能写真組を標識するためのＩＤ標識を受信し、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードする、ように配置されている、第１端末を提供する。
【００４１】
本発明の実施態様の第１０の方面は、プロセッサと、プロセッサの実行可能な指令を記憶するためのメモリとを備え、前記プロセッサは、第１端末から発送された、焦点調整可能写真の同期請求を受信し、同期しようとする焦点調整可能写真組を標識するためのＩＤ標識を前記第１端末に返し、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、前記第１端末がアップロードした焦点調整可能写真組のアップロードデータを受信し、前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定する、ように配置されている、サーバーを提供する。
【００４２】
本発明の実施態様の第１１の方面は、プロセッサと、プロセッサの実行可能な指令を記憶するためのメモリとを備え、前記プロセッサは、焦点調整可能写真の同期指示を第２端末に発送し、前記第２端末から返された、焦点調整可能写真の表示をサポートするか否かという提示情報を受信し、前記第２端末は焦点調整可能写真の表示をサポートする場合、焦点調整可能写真組のダウンロードデータを前記第２端末に発送し、前記第２端末は焦点調整可能写真の表示をサポートしない場合、前記焦点調整可能写真組のインデックス写真を前記第２端末に発送する、ように配置されている、サーバーを提供する。
【００４３】
本発明の実施態様の第１２の方面は、プロセッサと、プロセッサの実行可能な指令を記憶するためのメモリとを備え、前記プロセッサは、サーバーから発送された、焦点調整可能写真の同期指示を受信し、焦点調整可能写真の表示をサポートするか否かという提示情報をサーバーに返送し、焦点調整可能写真の表示をサポートする場合、サーバーから発送された、焦点調整可能写真組のダウンロードデータを受信し、焦点調整可能写真の表示をサポートしない場合、サーバーから発送された、焦点調整可能写真組のインデックス写真を受信する、ように配置されている、第２端末を提供する。
【発明の効果】
【００４４】
本発明の実施態様で提供された技術構成は下記のような有益な効果を含む。即ち、本発明の端末がバンディングのクラウドサーバーに、同期しようとする焦点調整可能写真組をアップロードする過程において、サーバーは焦点調整可能写真組にＩＤ標識を分配し、端末は焦点調整可能写真組の各写真に組内の番号を付け、インデックス写真を特定した場合、インデックス写真に対応する組内の番号をサーバーに知らせる。サーバーは、焦点調整可能写真組に含まれる各写真に対応する組内の番号を知るので、後続の端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを節約できる。
【００４５】
以上の一般的な記述および後での詳しい記述は、例示的と説明的なものに過ぎず、本発明はそれらに限られていない。
【図面の簡単な説明】
【００４６】
以下の図面は、明細書の一部分として明細書全体を構成することにより、本発明に合致する実施例を例示するとともに、本発明の原理を解釈するためのものである。
【００４７】
【図１】本発明の実施態様に示される写真の同期方法のフローチャート図である。
【図２】図１に示される実施態様に基づいた他の写真の同期方法のフローチャート図である。
【図３】本発明の実施態様に示されるサーバー側の写真の同期フローチャート図である。
【図４】図３に示される実施態様に基づいた他の写真の同期方法のフローチャート図である。
【図５】本発明の実施態様に示される他のサーバー側の写真同期フローチャート図である。
【図６】図５のステップＳ５０３の詳しいフローチャート図である。
【図７】本発明の実施態様に示される他のサーバー側の写真同期フローチャート図である。
【図８】本発明の実施態様に示される第２端末側の写真同期フローチャート図である。
【図９】図５のステップＳ８０３の詳しいフローチャート図である。
【図１０】本発明の実施態様に示される第２端末側の他の写真同期フローチャート図である。
【図１１】本発明の実施態様に示される第１端末の構造を示す図である。
【図１２】本発明の実施態様に示される他の第１端末の構造を示す図である。
【図１３】本発明の実施態様に示されるサーバーの構造を示す図である。
【図１４】本発明の実施態様に示される他のサーバーの構造を示す図である。
【図１５】本発明の実施態様に示されるさらに他のサーバーの構造を示す図である。
【図１６】図１５における第１発送モジュール１５３の構造を示す図である。
【図１７】本発明の実施態様に示される他のサーバーの構造を示す図である。
【図１８】本発明の実施態様に示される第２端末の構造を示す図である。
【図１９】図１８の第１データ受信モジュール１８３の構造を示す図である。
【図２０】本発明の実施態様に示される他の第２端末の構造を示す図である。
【図２１】本発明の実施態様が提供する端末装置の実施例の例示的なブロック図である。
【図２２】本発明の実施態様のサーバーの構造を示す図である。
【００４８】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００４９】
次に例示的な実施態様を詳しく説明し、例示を図面に示す。以下の記述は図面に係る場合、特別に表示する以外は、違う図の中の同じの数字は、同じまたは類似した要素を表す。以下の例示的な実施例の実施態様は、本発明と一致するあらゆる実施態様を表すものではなく、請求の範囲に詳しく記載した、本発明のある方面と一致する装置と方法の例に過ぎない。
【００５０】
図１は、本発明の一態様により示される写真の同期方法のフローチャート図である。図１に示されるように、該写真の同期方法は端末に用いられ、下記のステップを含んでもよい。
【００５１】
ステップＳ１０１において、焦点調整可能写真の同期請求をサーバーにアップロードする。
【００５２】
ステップＳ１０２において、前記サーバーから返された、同期しようとする焦点調整可能写真組を標識するためのＩＤ標識を受信する。
【００５３】
ステップＳ１０３において、少なくとも前記ＩＤ標識と、前記焦点調整可能写真組の中の各写真のデータと、前記焦点調整可能写真組にける各写真を標識するための、前記焦点調整可能写真組における前記各写真に対応する組内の番号および前記焦点調整可能写真組のインデックス写真に対応する組内の番号とを含む、焦点調整可能写真組のアップロードデータを前記サーバーにアップロードする。
【００５４】
該実施態様において、端末と、バンディング（binding）したクラウドサーバーとの間に写真を同期する。同期される写真は、例えばＵｂiＦｏｃuｓ写真のような焦点調整可能写真である。
【００５５】
ステップＳ１０１において、第１端末は、まず、焦点調整可能写真の同期請求をクラウドサーバーにアップロードし、同期しようとする焦点調整可能写真をアップロードすることをサーバーに伝える。
【００５６】
通常は、ある端末は、同期しようとする焦点調整可能写真をクラウドサーバーにアップロードし、そして、サーバーは、受け取った同期しようとする焦点調整可能写真をその他のバインディングした端末との間に同期する。区別付けるように、本発明には、同期しようとする焦点調整可能写真をクラウドサーバーにアップロードする端末を「第１端末」と称し、サーバーと写真の同期をするその他の端末を「第２端末」と称する。
【００５７】
ステップＳ１０２において、第１端末はサーバーから返されたＩＤ標識を受信する。該ＩＤ標識により、サーバーは受信した焦点調整可能写真組を標識する。これは、通常に、第１端末が焦点調整可能写真をアップロードする時、異なる焦点距離を有する同一場面の一組の写真、即ち焦点調整可能写真組をアップロードする。サーバーは、第１端末がアップロードした、異なる焦点調整可能写真組を区別付けるため、第１端末からアップロードされた異なる焦点調整可能写真組にそれぞれ一つのＩＤ標識を与える。異なる焦点調整可能写真組は異なるＩＤ標識を有し、同一の焦点調整可能写真組の中の各写真は、同じＩＤ標識、即ち該写真が属する焦点調整可能写真組のＩＤ標識を持っている。ＩＤ標識を分配した後、サーバーは該ＩＤ標識を第１端末に返送する。
【００５８】
ステップＳ１０３において、第１端末は、サーバーから返されたＩＤ標識を受信した後、少なくともＩＤ標識と、焦点調整可能写真組の中の各写真のデータと、焦点調整可能写真組に含まれる各写真に対応する組内の番号および焦点調整可能写真組のインデックス写真に対応する組内の番号とを含む、焦点調整可能写真組のアップロードデータをサーバーにアップロードすることを始める。焦点調整可能写真組の中の各写真にはそれぞれ該ＩＤ標識が付けられる。この他、第１端末は、焦点調整可能写真組内の各写真に組内の番号を付け、同一組の中の異なる写真は、異なる組内番号を有する。この組内の番号により、焦点調整可能写真組内の各写真を標識する。これによって、焦点調整可能写真組のインデックス写真を決めた後、インデックス写真に対応する組内の番号をサーバーに知らせればよい。
【００５９】
本発明では、端末がバインディングのクラウドサーバーに同期しようとする焦点調整可能写真組をアップロードする過程において、サーバーは、焦点調整可能写真組にＩＤ標識を分配し、端末は、焦点調整可能写真組の各写真に組内の番号を付け、インデックス写真を特定した場合、インデックス写真に対応する組内の番号をサーバーに知らせる。サーバーは、焦点調整可能写真組に含まれる各写真に対応する組内の番号を知るので、後続の端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。
【００６０】
次に図２に示される実施態様により、焦点調整可能写真組のインデックス写真を変更する場合のフローを説明する。該フローは、以下のステップを含んでもよい。
【００６１】
ステップＳ１０１において、焦点調整可能写真の同期請求をサーバーにアップロードする。
【００６２】
ステップＳ１０２において、前記サーバーから返された、同期しようとする焦点調整可能写真組を標識するためのＩＤ標識を受信する。
【００６３】
ステップＳ１０３において、少なくとも前記ＩＤ標識と、前記焦点調整可能写真組の中の各写真のデータと、前記焦点調整可能写真組に含まれる各写真を標識するための、前記焦点調整可能写真組に含まれる各写真に対応する組内の番号および前記焦点調整可能写真組のインデックス写真に対応する組内の番号とを含む、焦点調整可能写真組のアップロードデータを前記サーバーにアップロードする。
【００６４】
ステップＳ１０４において、前記焦点調整可能写真組のインデックス写真を変更するに際して、前記ＩＤ標識と変更後のインデックス写真に対応する組内の番号とを含むインデックス写真変更情報をサーバーにアップロードし、前記サーバーが前記焦点調整可能写真組のインデックス写真の変更を実行する。
【００６５】
該実施態様には、焦点調整可能写真組の中の各写真に対応する組内の番号をサーバーは知るので、後続の第１端末がアップロードした焦点調整可能写真組のインデックス写真を変更する必要がある場合、変更後のインデックス写真を新たにアップロードする必要はなく、インデックス写真の変更情報をアップロードすればよい。変更後のインデックス写真に対応する組内の番号および対応のＩＤ標識をインデックス写真の変更情報に添えて、前記焦点調整可能写真組のインデックス写真の変更がサーバーにより実行される。これより分かるように、第１端末は、変更後のインデックス写真を新たにアップロードする必要がなく、変動後のインデックス写真に対応する組内の番号および対応のＩＤ標識をアップロードすればよいので、写真同期時に占用するネットワークリソースを大いに節約できる。
【００６６】
サーバーは、焦点調整可能写真組の中の各写真に対応する組内の番号を知ったので、第１端末からアップロードされた、変更後のインデックス写真に対応する組内の番号および対応のＩＤ標識を受信すると、組内の番号により変更後のインデックス写真を特定して、インデックス写真の変更を実行することができる。
【００６７】
次は具体的な応用場面を例として、上記写真の同期過程について説明する。
【００６８】
ＵｂiＦｏｃuｓ写真の同期を例にする。第１端末がＵｂiＦｏｃuｓ写真組をサーバーにアップロードする時、ＵｂiＦｏｃuｓ写真組の組内の各写真は、組内の番号と、所属組のＩＤ標識が付けられる。デフォルト方式によって、アップロードされたばかりのＵｂiＦｏｃuｓ写真組のデフォルトインデックス写真は、組内の番号が１である写真である。ユーザは、インデックス写真を、組内の番号が３である写真に変更したい場合、ユーザによって、少なくとも変更しようとするＵｂiＦｏｃuｓ写真組のＩＤおよび変更後のインデックス写真に対応する組内番号３を含む同期指令をクラウドサーバーに発送する。クラウドサーバーは該同期指令を受けた後、該ＩＤに従って対応するＵｂiＦｏｃuｓ写真組を探し、組内番号が３である写真をインデックス写真に設置する。これより分かるように、組内の番号が３である写真を新たにアップロードする必要はないため、写真同期時に占用するネットワークリソースを大いに節約でき、瞬間に同期を実現できる。
【００６９】
上記実施態様は、第１端末側から、写真の同期を実現するフローを説明した。次にサーバー側から、上記写真の同期を実現するフローについて説明する。
【００７０】
図３は、サーバー側の写真同期フローを示す図である。該フローは、下記のステップを含んでもよい。
【００７１】
ステップＳ３０１において、第１端末から発送された、焦点調整可能写真の同期請求を受信する。
【００７２】
ステップＳ３０２において、同期しようとする焦点調整可能写真組を標識するためのＩＤ標識を前記第１端末に返送する。
【００７３】
ステップＳ３０３において、少なくとも前記ＩＤ標識と、前記焦点調整可能写真組の中の各写真のデータと、前記焦点調整可能写真組にける各写真を標識するための、前記焦点調整可能写真組に含まれる各写真に対応する組内の番号および前記焦点調整可能写真組のインデックス写真に対応する組内の番号とを含む、焦点調整可能写真組のアップロードデータを第１端末から受信する。
【００７４】
ステップＳ３０４において、前記ＩＤ標識に従って、前記焦点調整可能写真組における各写真の写真データと前記各写真に対応する組内の番号を記憶し、前記インデックス写真に対応する組内の番号により、前記焦点調整可能写真組のインデックス写真を特定する。
【００７５】
該実施態様には、通常、第１端末が焦点調整可能写真をアップロードする時、異なる焦点距離を有する同一場面の一組の写真、即ち焦点調整可能写真組、をアップロードする。サーバーは、第１端末がアップロードした、異なる焦点調整可能写真組を区別付けるために、第１端末にアップロードされた異なる焦点調整可能写真組にそれぞれ一つのＩＤ標識を与える。異なる焦点調整可能写真組は異なるＩＤ標識を有し、同一の焦点調整可能写真組の中の各写真は、同じＩＤ標識、即ち該写真が属する焦点調整可能写真組のＩＤ標識を持っている。ＩＤ標識を分配した後、サーバーは該ＩＤ標識を第１端末に返送する。
【００７６】
サーバーから返されたＩＤ標識を第１端末が受信した後、少なくともＩＤ標識と、焦点調整可能写真組の中の各写真のデータと、焦点調整可能写真組に含まれる各写真に対応する組内の番号および焦点調整可能写真組のインデックス写真に対応する組内の番号とを含む、焦点調整可能写真組のアップロードデータをサーバーにアップロードすることを始める。焦点調整可能写真組の中の各写真にはそれぞれ該ＩＤ標識が付けられる。この他、第１端末は、焦点調整可能写真組内の各写真にそれぞれ一つの組内の番号を付け、同一組の中の異なる写真は、異なる組内番号を有する。この組内の番号により、焦点調整可能写真組内の各写真を標識する。これによって、焦点調整可能写真組のインデックス写真を決めた後、インデックス写真に対応する組内の番号をサーバーに知らせればよい。
【００７７】
本発明では、端末は、同期しようとする焦点調整可能写真組を、バインディングしたクラウドサーバーにアップロードする過程において、サーバーは焦点調整可能写真組にＩＤ標識を分配し、端末は焦点調整可能写真組の各写真に組内の番号を付け、インデックス写真を特定した場合、インデックス写真に対応する組内の番号をサーバーに知らせる。サーバーは、焦点調整可能写真組に含まれる各写真に対応する組内の番号を知るので、後続の端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。
【００７８】
図４に示される実施態様は、焦点調整可能写真組のインデックス写真をサーバー側で変更する場合のフローであり、図３に示される実施態様の上で、さらに、以下のステップを追加してもよい。
【００７９】
ステップＳ３０５において、前記第１端末からアップロードされた、前記ＩＤ標識と変更後のインデックス写真に対応する組内の番号とを含むインデックス写真の変更情報を受信する。
【００８０】
ステップＳ３０６において、前記ＩＤ標識と変更後のインデックス写真に対応する組内の番号により、前記ＩＤ標識で標識された焦点調整可能写真組のインデックス写真を変更する。
【００８１】
該実施態様には、焦点調整可能写真組の中の各写真に対応する組内の番号をサーバーは知るので、後続の第１端末がアップロードした焦点調整可能写真組のインデックス写真を変更する必要がある場合、変更後のインデックス写真を新たにアップロードする必要はなく、インデックス写真の変更情報をアップロードすればよい。インデックス写真の変更情報に変更後のインデックス写真に対応する組内の番号および対応のＩＤ標識を含み、前記焦点調整可能写真組のインデックス写真の変更がサーバーで実行される。第１端末は、変更後のインデックス写真を新たにアップロードする必要がなく、変動後のインデックス写真に対応する組内の番号および対応のＩＤ標識をアップロードすればよいので、写真同期時に占用するネットワークリソースを大いに節約できる。サーバーは、焦点調整可能写真組の中の各写真に対応する組内の番号を知ったので、第１端末からアップロードされた、変更後のインデックス写真に対応する組内の番号および対応のＩＤ標識を受信すると、組内の番号により変更後のインデックス写真を特定して、インデックス写真の変更を実行することができる。
【００８２】
本発明では、第１端末からアップロードされた焦点調整可能写真組をサーバーは受け取った後、バインディングした第２端末に該焦点調整可能写真組を同期することができる。これから該同期過程について詳しく説明する。
【００８３】
図５は、サーバー側の、第２端末に写真同期をするフローチャート図である。該実施態様は下記のステップを含んでもよい。
【００８４】
ステップＳ５０１において、焦点調整可能写真の同期指示を第２端末に発送する。
【００８５】
ステップＳ５０２において、前記第２端末から返された、焦点調整可能写真の表示をサポートするか否かという提示情報を受信する。
【００８６】
ステップＳ５０３において、前記第２端末が焦点調整可能写真の表示をサポートする場合、焦点調整可能写真組のダウンロードデータを前記第２端末に発送する。
【００８７】
ステップＳ５０４において、前記第２端末が焦点調整可能写真の表示をサポートしない場合、焦点調整可能写真組のインデックス写真を前記第２端末に発送する。
【００８８】
実際適用の場合、第２端末が焦点調整可能写真の表示をサポートするか否かによって、サーバーが第２端末に写真を同期する方法は異なる。そこで、サーバーは、まず、第２端末が焦点調整可能写真の表示をサポートするか否かを特定しなければならない。サーバーは、焦点調整可能写真の同期指示を第２端末に発送し、焦点調整可能写真の同期を始めることを第２端末に伝えなければならない。第２端末は、自身のパラメータにより、焦点調整可能写真の表示をサポートするか否かという提示情報をサーバーに返す。該提示情報は、焦点調整可能写真の表示をサポートすること、又は、焦点調整可能写真の表示をサポートしないことを含む。サーバーは、第２端末から返された提示情報を受信し、第２端末が焦点調整可能写真の表示をサポートする場合、焦点調整可能写真組のダウンロードデータを第２端末に発送する。第２端末が焦点調整可能写真の表示をサポートしない場合、サーバーは、焦点調整可能写真組のインデックス写真を第２端末に発送する。
【００８９】
図６に示される実施態様には、第２端末が焦点調整可能写真の表示をサポートする場合、サーバーが焦点調整可能写真組のダウンロードデータを第２端末に発送するフローの詳しいステップは、以下のステップを含んでもよい。
【００９０】
ステップＳ６０１において、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組に含まれる各写真に対応する組内の番号および前記焦点調整可能写真組のインデックス写真に対応する組内の番号とを含む、焦点調整可能写真組のダウンロードデータを前記第２端末に発送する。
【００９１】
ステップＳ６０２において、前記焦点調整可能写真組の各写真を前記第２端末に発送し、前記インデックス写真に対応する組内の番号により前記焦点調整可能写真組のインデックス写真を設置する。
【００９２】
該実施態様では、サーバーが発送した、焦点調整可能写真組のダウンロードデータには、同期しようとする焦点調整可能写真組のＩＤ標識と、組内の各写真に付けられる組内の番号とＩＤ標識と、インデックス写真に対応する組内の番号と、組内の各写真のパス情報とを含めてもいい。前記パス情報は、前記焦点調整可能写真組の各写真の記憶パス情報である。組内の番号は、焦点調整可能写真組において各写真を標識するものである。サーバーは、焦点調整可能写真組の各写真を第２端末に発送すると同時に、インデックス写真に対応する組内の番号により焦点調整可能写真組のインデックス写真を設置する。
【００９３】
ただし、焦点調整可能写真組のインデックス写真に対応する組内の番号により、優先的に焦点調整可能写真組のインデックス写真を第２端末に発送しても良い。
【００９４】
焦点調整可能写真組のインデックス写真を変更する時、図７に示されるように、図６に示される実施態様の上にさらに、以下のステップを含んでもよい。
【００９５】
ステップＳ６０３において、前記第２端末が焦点調整可能写真の表示をサポートする場合、前記ＩＤ標識と変更後のインデックス写真に対応する組内の番号を含むインデックス写真の変更情報を前記第２端末に発送し、前記第２端末が前記焦点調整可能写真組のインデックス写真の変更を実行する。
【００９６】
ステップＳ６０４において、前記第２端末が焦点調整可能写真の表示をサポートしない場合、前記焦点調整可能写真組の変更後のインデックス写真を、変更前のインデックス写真を入れ替えるように前記第２端末に発送する。
【００９７】
これにより明らかに、第２端末が焦点調整可能写真の表示をサポートする場合、第２端末が焦点調整可能写真組のインデックス写真の変更を実行するように、サーバーは、変更後のインデックス写真に対応する組内の番号とＩＤ標識を第２端末に発送しても良い。第２端末が焦点調整可能写真の表示をサポートする場合、変更前のインデックス写真を入れ替えるように、焦点調整可能写真組の変更後のインデックス写真を第２端末に直接に発送する必要がある。
【００９８】
同じ理由で、サーバーが下に向いて同期する過程において、アップロードした焦点調整可能写真組のインデックス写真を第１端末は変更する時、焦点調整可能写真の表示をサポートする第２端末には、変更後のインデックス写真を新たに発送する必要はなく、入れ替えた後のインデックス写真の組内番号および変更後のインデックス写真の組内番号を発送すればよい。これも、写真同期時に占用するネットワークリソースを大いに節約することができる。
【００９９】
ただし、該実施態様には、サーバーが第２端末に発送したインデックス写真は、写真に対応するサムネイルまたは写真のデータであってもよい。また、サーバーが第２端末に発送した焦点調整可能写真組の各写真は、写真に対応するサムネイルまたは写真のデータであってもよい。
【０１００】
実際適用の場合、通常、サムネイルのデータ量は原始の写真のデータ量より小さい。サムネイルを同期すると、ユーザの一般的なブラウズ需要を満たすことができ、ユーザの流量の節約することができる。ユーザは該サムネイルをクリックした場合だけ、クラウドサーバーから原始写真のデータをダウンロードすることになる。勿論、ユーザの流量の節約を考えない場合、原始写真のデータを同期することも可能である。
【０１０１】
上記実施態様は、サーバー側から写真の同期フローを説明した。図８に示されるように、第２端末側から、写真の同期フローを説明する。このフローは、以下のステップを含んでもよい。
【０１０２】
ステップＳ８０１において、サーバーから発送された焦点調整可能写真の同期サポートを受信する。
【０１０３】
ステップＳ８０２において、焦点調整可能写真の表示をサポートするか否かという提示情報をサーバーに返送する。
【０１０４】
ステップＳ８０３において、調整可能な写真の表示をサポートする場合、サーバーから発送された焦点調整可能写真組のダウンロードデータを受け取る。
【０１０５】
ステップＳ８０４において、調整可能な写真の表示をサポートしない場合、サーバーから発送された前記焦点調整可能写真組のインデックス写真を受け取る。
【０１０６】
焦点調整可能写真の表示をサポートする第２端末について、図９に示されるように、ステップＳ８０３のフローは、以下のステップを含んでもよい。
【０１０７】
ステップＳ９０１において、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組に含まれる各写真に対応する組内の番号および前記焦点調整可能写真組のインデックス写真に対応する組内の番号とを含む、焦点調整可能写真組のダウンロードデータを前記サーバーから受け取る。
【０１０８】
ステップＳ９０２において、前記パス情報により、前記サーバーから発送された焦点調整可能写真組の各写真をダウンロードする。
【０１０９】
ステップＳ９０３において、前記インデックス写真に対応する組内の番号により、前記焦点調整可能写真組のインデックス写真を設置する。
【０１１０】
該実施態様において、サーバーは下に向いて同期する過程において、アップロードした焦点調整可能写真組のインデックス写真を第１端末は変更する時、第２端末が受信したのは、サーバーが新たに発送した変更後のインデックス写真ではなく、サーバーが発送してくれた、前記焦点調整可能写真組のダウンロードデータである。この方式により、写真同期時に占用するネットワークリソースを大いに節約することができる。
【０１１１】
本発明には、第２端末は焦点調整可能写真組のインデックス写真に対応する組内の番号により、優先的に前記焦点調整可能写真組のインデックス写真をダウンロードすることができる。
【０１１２】
焦点調整可能写真組のインデックス写真を変更する時、図１０に示されるように、図９に示される実施態様の上にさらに、以下のステップを含んでもよい。
【０１１３】
ステップＳ９０４において、焦点調整可能写真の表示をサポートする場合、前記ＩＤ標識と変更後のインデックス写真に対応する組内の番号とを含む前記インデックス写真の変更情報をサーバーから受信し、前記ＩＤ標識と変更後のインデックス写真に対応する組内の番号により、前記ＩＤ標識で標識された焦点調整可能写真組のインデックス写真を変更する。
【０１１４】
ステップＳ９０５において、焦点調整可能写真の表示をサポートしない場合、前記焦点調整可能写真組の変更後のインデックス写真を、変更前のインデックス写真を入れ替えるように、サーバーから受け取る。
【０１１５】
ただし、該実施態様において、第２端末が受信したインデックス写真は、写真に対応するサムネイルまたは写真のデータであってもよい。また、第２端末が受信した焦点調整可能写真組の各写真は、写真に対応するサムネイルまたは写真のデータであってもよい。
【０１１６】
実際適用の場合、通常、サムネイルのデータ量は原始の写真のデータ量より小さい。サムネイルを同期すると、ユーザの一般的なブラウズ需要を満たすことができ、ユーザの流量の節約することができる。ユーザは該サムネイルをクリックした場合だけ、クラウドサーバーから原始写真のデータをダウンロードすることになる。勿論、ユーザの流量の節約を考えないなら、原始写真のデータを同期することも可能である。
【０１１７】
本発明は、前記方法の実施例に対応して、写真の同期を実現する端末の実施例を提供する。
【０１１８】
図１１は、第１端末の構造を示す図である。図１１を参照に、第１端末は、焦点調整可能写真の同期請求をサーバーにアップロードするための焦点調整可能写真同期請求アップロードモジュール１１１と、前記サーバーから返された、同期しようとする焦点調整可能写真組を標識するためのＩＤ標識を受信するＩＤ標識受信モジュール１１２と、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードする写真アップロードモジュール１１３と、を含んでもよい。
【０１１９】
本発明では、端末がバインディングのクラウドサーバーに同期しようとする焦点調整可能写真組をアップロードする過程において、サーバーは焦点調整可能写真組にＩＤ標識を分配し、端末は焦点調整可能写真組の各写真に組内の番号を付け、インデックス写真を特定した場合、インデックス写真に対応する組内の番号をサーバーに知らせる。サーバーは、焦点調整可能写真組に含まれる各写真に対応する組内の番号を知るので、後続の端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。
【０１２０】
図１２に示される他の第１端末の実施態様として、さらに、前記焦点調整可能写真組のインデックス写真を変更する時、前記ＩＤ標識と変更後のインデックス写真に対応する組内の番号とを含むインデックス写真の変更情報をサーバーにアップロードし、前記サーバーが前記焦点調整可能写真組のインデックス写真の変更を実行する、変更情報アップロードモジュール１１４を含んでもよい。
【０１２１】
該実施態様では、サーバーは、焦点調整可能写真組に含まれる各写真に対応する組内の番号を知るので、後続の第１端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。
【０１２２】
上記第１端末の実施態様に対応して、図１３は、サーバーの構造を示す。該サーバーは、第１端末から発送された焦点調整可能写真の同期請求を受信するための焦点調整可能写真の同期請求受信モジュール１３１と、アップロードしようとする焦点調整可能写真組を標識するためのＩＤ標識を前記第１端末に返すＩＤ標識フィードバックモジュール１３２と、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記第１端末から受信する、アップロードデータ受信モジュール１３３と、前記ＩＤ標識により前記焦点調整可能写真組の各写真の写真データと前記各写真に対応する組内の番号を記憶し、前記インデックス写真に対応する組内の番号により前記焦点調整可能写真組のインデックス写真を特定する写真記憶モジュール１３４とを含んでもよい。
【０１２３】
本発明では、端末がバインディングのクラウドサーバーに同期しようとする焦点調整可能写真組をアップロードする過程において、サーバーは焦点調整可能写真組にＩＤ標識を分配し、端末は焦点調整可能写真組の各写真に組内の番号を付け、インデックス写真を特定した場合、インデックス写真に対応する組内の番号をサーバーに知らせる。サーバーは、焦点調整可能写真組に含まれる各写真に対応する組内の番号を知るので、後続の端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。
【０１２４】
図１４に示される他のサーバーの実施態様として、さらに、前記第１端末からアップロードされた、前記ＩＤ標識と変更後のインデックス写真に対応する組内の番号を含むインデックス写真変更情報を受信する、変更情報受信モジュール１３５と、前記ＩＤ標識と変更後のインデックス写真に対応する組内の番号により、前記ＩＤ標識で標識された焦点調整可能写真組のインデックス写真を変更する、インデックス写真変更モジュール１３６とを含んでもよい。
【０１２５】
該実施態様では、端末は、焦点調整可能写真組に含まれる各写真に対応する組内の番号を知ったので、後続の第１端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。サーバーは、焦点調整可能写真組に含まれる各写真に対応する組内の番号を知ったので、第１端末がアップロードした、変更後のインデックス写真に対応する組内の番号および対応のＩＤ標識を受信すると、組内の番号により変更後のインデックス写真を特定して、インデックス写真の変更を実行することができる。
【０１２６】
図１５は、下に向いて同期を実現するサーバーの一態様を示している。該サーバーは、焦点調整可能写真の同期指示を第２端末に発送する、同期指示発送モジュール１５１と、第２端末から返された、焦点調整可能写真の表示をサポートするか否かという提示情報を受信する、提示情報受信モジュール１５２と、前記第２端末が焦点調整可能写真の表示をサポートする場合、焦点調整可能写真組のダウンロードデータを前記第２端末に発送する、第１発送モジュール１５３と、前記第２端末が焦点調整可能写真の表示をサポートしない場合、焦点調整可能写真組のインデックス写真を前記第２端末に発送する、第２発送モジュール１５４とを含んでもよい。
【０１２７】
図１６に示されるサーバーの一態様に、前記第１発送モジュール１５３は、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組に含まれる各写真に対応する組内の番号および前記焦点調整可能写真組のインデックス写真に対応する組内の番号とを含む、焦点調整可能写真組のダウンロードデータを前記第２端末に発送する、ダウンロードデータ発送ユニット１６１と、前記焦点調整可能写真組の各写真を前記第２端末に発送し、前記インデックス写真に対応する組内の番号により前記焦点調整可能写真組のインデックス写真を設置する、写真発送ユニット１６２とを含む。
【０１２８】
本発明において、前記写真発送ユニットは、前記焦点調整可能写真組のインデックス写真に対応する組内の番号により、優先的に前記焦点調整可能写真組のインデックス写真を前記第２端末に発送する。
【０１２９】
図１７に示されるサーバーの一態様は、さらに、前記第２端末は焦点調整可能写真の表示をサポートする場合、前記ＩＤ標識と変更後のインデックス写真に対応する組内の番号を含むインデックス写真の変更情報を前記第２端末に発送し、前記第２端末は前記焦点調整可能写真組のインデックス写真の変更を実行する、第１変更情報発送モジュール１５５と、前記第２端末は焦点調整可能写真の表示をサポートしない場合、前記焦点調整可能写真組の変更後のインデックス写真を、変更前のインデックス写真を入れ替えるように前記第２端末に発送する、第２変更情報発送モジュール１５６とを含んでもよい。
【０１３０】
実際適用の場合、前記第２端末に発送した前記インデックス写真は、写真に対応するサムネイルまたは写真のデータであってもよい。また、前記第２端末に発送した前記焦点調整可能写真組の各写真は、写真に対応するサムネイルまたは写真のデータであってもよい。
【０１３１】
本発明はさらに、第２端末の構造を示す図を開示した。図１８に示されるように、第２端末の一態様として、サーバーから発送された、焦点調整可能写真の同期指示を受信する、同期指示受信モジュール１８１と、焦点調整可能写真の表示をサポートするか否かという提示情報をサーバーに返送する、提示情報返送モジュール１８２と、焦点調整可能写真の表示をサポートする場合、サーバーから発送された焦点調整可能写真組のダウンロードデータを受信する、第１データ受信モジュール１８３と、焦点調整可能写真の表示をサポートしない場合、サーバーから発送された焦点調整可能写真組のインデックス写真を受信する、第２データ受信モジュール１８４とを含んでもよい。
【０１３２】
図１９に示されるように、第２端末の一態様では、前記第１データ受信モジュール１８３は、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組に含まれる各写真に対応する組内の番号および前記焦点調整可能写真組のインデックス写真に対応する組内の番号とを含む、前記サーバーから発送された焦点調整可能写真組のダウンロードデータを受信する、ダウンロードデータ受信ユニット１９１と、前記パス情報により、前記サーバーから発送された焦点調整可能写真組の各写真をダウンロードする、写真ダウンロードユニット１９２と、前記インデックス写真に対応する組内の番号により、前記焦点調整可能写真組のインデックス写真を設置する、インデックス写真設置ユニット１９３とを含んでもよい。
【０１３３】
前記写真ダウンロードユニットは、前記焦点調整可能写真組のインデックス写真に対応する組内の番号により、優先的に前記焦点調整可能写真組のインデックス写真をダウンロードすることができる。
【０１３４】
図２０に示される第２端末の他の態様として、さらに、焦点調整可能写真の表示をサポートする場合、サーバーから発送された、前記ＩＤ標識と変更後のインデックス写真に対応する組内の番号を含むインデックス写真の変更情報を受信し、前記ＩＤ標識と変更後のインデックス写真に対応する組内の番号により、前記ＩＤ標識で標識された焦点調整可能写真組のインデックス写真を変更する、第１変更情報受信モジュール１８５と、焦点調整可能写真の表示をサポートしない場合、サーバーから発送された、前記焦点調整可能写真組の変更後のインデックス写真を、変更前のインデックス写真を入れ替えるように受信する、第２変更情報受信モジュール１８６とを含んでもよい。
【０１３５】
本発明には、前記サーバーから発送された前記インデックス写真は、写真に対応するサムネイルまたは写真のデータであり、前記サーバーから発送された前記焦点調整可能写真組の各写真は、写真に対応するサムネイルまたは写真のデータである。
【０１３６】
上記実施態様の装置に関して、各モジュールの操作方式について相関方法の実施態様において詳述したので、ここでは詳しく説明しない。
【０１３７】
図２１は例示的な一態様に示される写真を同期するための装置８００のブロック図である。例えば、装置８００は、携帯電話、コンピュータ、デジタル放送端末、メッセージングデバイス、ケーム機、タブレットデバイス、医療装置、フィットネス機器、パーソナルデジタルアシスタント（ＰＤＡ）などであってもよい。
【０１３８】
図２１を参照に、装置８００は、プロセッシングコンポーネント８０２、メモリ８０４、電源コンポーネント８０６、マルチメディアコンポーネント８０８、オーディオコンポーネント８１０、インプット／アウトプット（Ｉ／Ｏ）のインタフェース８１２、センサーコンポーネント８１４、および通信コンポーネント８１６からなる群れより選ばれる一つ以上のコンポーネントを含んでもよい。
【０１３９】
プロセッシングコンポーネント８０２は通常、装置８００の全体的な操作をコントロールする。例えば、ディスプレイ、電話の呼び出し、データ通信、カメラ操作および記録操作に関連する操作などが挙げられる。プロセッシングコンポーネント８０２は、上記方法のすべてあるいは一部のステップを完成する為に、指令を実行するように一つ以上のプロセッサ８２０を含んでもよい。また、プロッセシングコンポーネント８０２は、その他のコンポーネントとのやり取りのため、一つ以上のモジュールを含んでもよい。例えば、マルチメディアコンポーネント８０８とプロッセシングコンポーネント８０２とのやり取りに便宜を与えるため、プロッセシング８０２はマルチメディアコンポーネントを含んでもよい。
【０１４０】
メモリ８０４は、装置８００において、操作を実行するため、各種のデータを記憶するように配置されている。これらのデータの例示は、装置８００において操作する任意のアプリケーションプログラム又は方法のコマンド、連絡先データ、電話帳データ、メッセージ、画像、映像等を含む。メモリ８０４は、スタティックランダムアクセスメモリ（ＳＲＡＭ）、電気的に書き込みと消去が可能なＲＯＭ（ＥＥＰＲＯＭ）、電気的に書き込み可能なＲＯＭ（ＥＰＲＯＭ）、書き込み可能メモリ（ＰＲＯＭ）、読み出し専用メモリ（ＲＯＭ）、磁気メモリ、フラッシュメモリ、磁気ディスク又は光ディスク等の全ての種類の揮発性もしくは不揮発性メモリ、又はそれらの組み合わせにより実現することができる。
【０１４１】
電源コンポーネント８０６は装置８００における各種コンポーネントに給電する。電源コンポーネント８０６は電源管理システム、一つ又は複数の電源、およびその他の装置８００のため、電力の生成、管理及び分配と関連するコンポーネントを含むことができる。
【０１４２】
マルチメディアコンポーネント８０８は、前記装置８００とユーザとの間で出力インタフェースを提供するスクリーンを含む。一部の実施例において、スクリーンは液晶ディスプレイ（ＬＣＤ）及びタッチパネル（ＴＰ）を含むことができる。スクリーンがタッチパネルを含む場合、ユーザからの入力信号を受信するために、スクリーンはタッチスクリーンとして実現することができる。タッチ、スワイプ及びタッチパネル上の手の動きを感知するために、タッチパネルは一つ又は複数のタッチセンサを含んでいる。前記タッチセンサはタッチ又はスワイプ操作の境目を感知するだけでなく、前記タッチ又はスワイプ操作の持続時間及び圧力も感知する。一部の実施例において、マルチメディアコンポーネント８０８は一つのフロントカメラ及び／又はバックカメラを含む。装置８００が、例えば撮影モード又は映像モードなどの操作モードにある場合、フロントカメラ及び／又バックカメラは外部のマルチメディアデータを受信することができる。それぞれのフロントカメラ及びバックカメラは一つの固定の光学レンズシステム又は、焦点距離及び光学ズーム機能を有するものであってもよい。
【０１４３】
オーディオコンポーネント８１０はオーディオ信号を出力及び／又は入力するように配置されている。例えば、オーディオコンポーネント８１０は一つのマイクロフォン（ＭＩＣ）を含んでおり、装置８００が呼び出しモード、記録モード及び音声認識モードのような操作モードにある場合、マイクロフォンは外部のオーディオ信号を受信するように配置されている。受信したオーディオ信号は更にメモリ８０４に記憶されるか、又は通信コンポーネント８１６を経由して送信することができる。一部の実施例において、オーディオコンポーネント８１０は更に一つの、オーディオ信号を出力するためのスピーカーを含む。
【０１４４】
Ｉ／Ｏのインタフェース８１２は、処理コンポーネント８０２と周辺インタフェースモジュールの間でインタフェースを提供し、上述した周辺インタフェースモジュールはキーボード、クリックホイール、ボタンなどであってもよい。これらのボタンにはホームページボタン、音量ボタン、起動ボタン及びロックボタンが含まれるが、これに限定されない。
【０１４５】
センサーコンポーネント８１４は、装置８００に各方面の状態の評価を提供するために、一つ又は複数のセンサを含んでいる。例えば、センサーコンポーネント８１４は装置８００のオン／オフ状態、コンポーネントの相対位置を感知することができる。前記コンポーネントは例えば、装置８００のディスプレイ及びキーパッドであってもよく、センサーコンポーネント８１４は更に、装置８００又は装置８００の一つのコンポーネントの位置変化、ユーザと装置８００の接触の有無、装置８００の方位又は加速／減速及び、装置８００の温度変化を検出することができる。センサーコンポーネント８１４は接近センサを含むことができ、これは如何なる物理的接触がない場合においても付近の物体の存在を検出するように配置されている。センサーコンポーネント８１４は更に、イメージング応用において使用される、ＣＭＯＳ又はＣＣＤイメージセンサのような光センサを含むことができる。一部の実施例において、該センサーコンポーネント８１４は更に、加速度センサ、ジャイロセンサ、磁気センサ、圧力センサ又は温度センサを含むことができる。
【０１４６】
通信コンポーネント８１６は、装置８００がその他装置と有線又は無線方式の通信をするように配置されている。装置８００は、例えばＷｉＦｉ、２Ｇ若しくは３Ｇ、又はそれらの組み合わせなどの、通信規格に準拠した無線ネットワークに接続することができる。一つの例示的な実施例において、通信コンポーネント８１６は放送チャンネルを経由して、外部の放送管理システムからの放送信号又は、放送関連情報を受信する。一つの例示的な実施例において、前記通信コンポーネント８１６は更に近距離通信を促進するための近距離無線通信（ＮＦＣ）モジュールを含んでいる。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及びその他の技術に基づき、実現することが可能である。
【０１４７】
例示的な実施例において、装置８００は一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子デバイスにより実現することができ、上述した方法を実行するために使用される。
【０１４８】
例示的な実施例において、例えばコマンドを含むメモリ８０４のような、コマンドを含む非臨時的なコンピュータ読み取り可能な記憶媒体を提供し、上述したコマンドは装置８００のプロセッサ８２０によって実行されることで上述した方法を完成することができる。例えば、前記非臨時的なコンピュータ読み取り可能な記憶媒体はＲＯＭ、ランダムアクセスメモリ（ＲＡＭ）、ＣＤ−ＲＯＭ、磁気テープ、フロッピーディスク及び光データ記憶装置などであってもよい。
【０１４９】
非臨時的なコンピュータ可読記憶媒体であって、前記記憶媒体中の指令が移動端末のプロセッサにより実行される場合、移動端末が下記の写真の同期方法を実行することを可能にする。該方法は、サーバーに焦点調整可能写真の同期請求をアップロードすることと、前記サーバーから返された、同期しようとする焦点調整可能写真組を標識するためのＩＤ標識を受信することと、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードすることとを含む。
【０１５０】
他の非臨時的なコンピュータ可読記憶媒体であって、前記記憶媒体中の指令が移動端末のプロセッサにより実行される場合、サーバーが下記の写真の同期方法を実行することを可能にする。該方法は、第１端末から発送された、焦点調整可能写真の同期請求を受信することと、同期しようとする焦点調整可能写真組を標識するためのＩＤ標識を第１端末に返すことと、記第１端末がアップロードした、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを受信することと、前記ＩＤ標識により前記焦点調整可能写真組の各写真の写真データと前記各写真に対応する組内の番号を記憶し、前記インデックス写真に対応する組内の番号により前記焦点調整可能写真組のインデックス写真を特定することとを含む。
【０１５１】
他の非臨時的なコンピュータ可読記憶媒体であって、前記記憶媒体中の指令が移動端末のプロセッサにより実行される場合、サーバーが下記の写真の同期方法を実行することを可能にする。該方法は、焦点調整可能写真の同期指示を第２端末に発送することと、前記第２端末から返された、焦点調整可能写真の表示をサポートするか否かという提示情報を受信することと、前記第２端末は焦点調整可能写真の表示をサポートする場合、焦点調整可能写真組のダウンロードデータを前記第２端末に発送することと、前記第２端末は焦点調整可能写真の表示をサポートしない場合、前記焦点調整可能写真組のインデックス写真を前記第２端末に発送することとを含む。
【０１５２】
他の非臨時的なコンピュータ可読記憶媒体であって、前記記憶媒体中の指令が移動端末のプロセッサにより実行される場合、移動端末が下記の写真の同期方法を実行することを可能にする。該方法は、サーバーから発送された、焦点調整可能写真の同期指示を受信することと、焦点調整可能写真の表示をサポートするか否かという提示情報をサーバーに返送することと、焦点調整可能写真の表示をサポートする場合、サーバーから発送された、焦点調整可能写真組のダウンロードデータを受信することと、焦点調整可能写真の表示をサポートしない場合、サーバーから発送された、焦点調整可能写真組のインデックス写真を受信することとを含む。
【０１５３】
図２２は本発明の実施例にかかるサーバーの構造模式図である。前記サーバー（サーバー装置）１９００はスペック又は性能の違いによって比較的大きな差異が生じる可能性があり、一つ又は一つ以上の中央処理装置（central processing units，ＣＰＵ）１９２２（例えば、一つ又は一つ以上のプロセッサ）と記憶装置１９３２、一つ又は一つ以上のアプリケーション１９４２又はデータ１９４４を記憶する記憶媒体１９３０（例えば、一つ又は一つ以上の大容量記憶装置）を含むことができる。ここで、記憶装置１９３２と記憶媒体１９３０は短期記憶又は持久記憶で構わない。記憶媒体１９３０に記憶されたプログラムは一つ又は一つ以上のモジュール（図示せず）を含むことができ、各モジュールはルータに対する一連のコマンド操作を含むことができる。更に、中央処理装置１９２２を、記憶媒体１９３０と通信し、サーバー１９００上で記憶媒体１９３０の一連のコマンド操作を実行するように設定することができる。
【０１５４】
サーバー１９００は一つ又は一つ以上の電源１９２６、一つ又は一つ以上の有線又は無線ネットワークインタフェース１９５０、一つ又は一つ以上の出入力インタフェース１９５８、一つ又は一つ以上のキーボード１９５６、及び／又は、一つ又は一つ以上のオペレーティングシステム１９４１、例えば、Windows ServerTM，Mac OS XTM，UnixTM, LinuxTM，FreeBSDTM等なども含むことができる。
【０１５５】
当業者は明細書を検討し、ここで開示した発明を実践した後、本発明のその他の実施方案を容易に思いつくことができる。本願は本発明の全ての変更、用途又は適応性のある変化を含む。これらの変更、用途又は適応性のある変化は本発明の一般的な原理に従っており、本願において未開示の本技術分野における周知技術又は慣用技術手段を含む。明細書及び実施例は例示的なものに過ぎず、本発明の真の範囲及び主旨は以下の特許請求の範囲によって示される。
【０１５６】
本発明は、上記で説明した、また図面において示した精確な構造に限定されず、その範囲を逸脱しない前提のもとで種々の変更及び修正を行うことができることを理解すべきである。本発明の範囲は付された特許請求の範囲によってのみ限定される。
【図１】
2016522949.tif 000003
【図２】
2016522949.tif 000004
【図３】
2016522949.tif 000005
【図４】
2016522949.tif 000006
【図５】
2016522949.tif 000007
【図６】
2016522949.tif 000008
【図７】
2016522949.tif 000009
【図８】
2016522949.tif 000010
【図９】
2016522949.tif 000011
【図１０】
2016522949.tif 000012
【図１１】
2016522949.tif 000013
【図１２】
2016522949.tif 000014
【図１３】
2016522949.tif 000015
【図１４】
2016522949.tif 000016
【図１５】
2016522949.tif 000017
【図１６】
2016522949.tif 000018
【図１７】
2016522949.tif 000019
【図１８】
2016522949.tif 000020
【図１９】
2016522949.tif 000021
【図２０】
2016522949.tif 000022
【図２１】
2016522949.tif 000023
【図２２】
2016522949.tif 000024
【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
焦点調整可能写真の同期請求をサーバーにアップロードすることと、
前記サーバーから返された、同期しようとする焦点調整可能写真組を標識するためのＩＤ標識を受信することと、
少なくとも、前記ＩＤ標識と、前記焦点調整可能写真組の中の各写真のデータと、前記焦点調整可能写真組における各写真を標識するための、前記各写真に対応する組内の番号および前記焦点調整可能写真組のインデックス写真に対応する組内の番号とを含む、焦点調整可能写真組のアップロードデータを前記サーバーにアップロードすることとを含む、写真の同期方法。
【請求項２】
前記焦点調整可能写真組のインデックス写真を変更するに際して、前記ＩＤ標識と変更後のインデックス写真に対応する組内の番号とを含むインデックス写真変更情報をサーバーにアップロードし、前記サーバーが前記焦点調整可能写真組のインデックス写真の変更を実行することをさらに含む、請求項１に記載の方法。
【請求項３】
第１端末から発送された、焦点調整可能写真の同期請求を受信することと、
同期しようとする焦点調整可能写真組を標識するためのＩＤ標識を前記第１端末に返送することと、
少なくとも、前記ＩＤ標識と、前記焦点調整可能写真組の中の各写真のデータと、前記焦点調整可能写真組における各写真を標識するための、前記各写真に対応する組内の番号および前記焦点調整可能写真組のインデックス写真に対応する組内の番号とを含む、焦点調整可能写真組のアップロードデータを第１端末から受信することと、
前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定することとを含む、写真の同期方法。
【請求項４】
前記第１端末からアップロードされた、前記ＩＤ標識と変更後のインデックス写真に対応する組内の番号とを含むインデックス写真の変更情報を受信することと、
前記ＩＤ標識と変更後のインデックス写真に対応する組内の番号により、前記ＩＤ標識で標識された焦点調整可能写真組のインデックス写真を変更することとをさらに含む、請求項３の方法。
【請求項５】
焦点調整可能写真の同期指示を第２端末に発送することと、
前記第２端末から返された、焦点調整可能写真の表示をサポートするか否かという提示情報を受信することと、
前記第２端末が焦点調整可能写真の表示をサポートする場合、焦点調整可能写真組のダウンロードデータを前記第２端末に発送することと、
前記第２端末が焦点調整可能写真の表示をサポートしない場合、焦点調整可能写真組のインデックス写真を前記第２端末に発送することとを含む、写真の同期方法。
【請求項６】
前記第２端末が焦点調整可能写真の表示をサポートする場合、焦点調整可能写真組のダウンロードデータを前記第２端末に発送することは、
少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記第２端末に発送することと、
前記焦点調整可能写真組の各写真を前記第２端末に発送し、前記インデックス写真に対応する組内の番号により、前記焦点調整可能写真組のインデックス写真を設置することとをさらに含む、請求項５に記載の方法。
【請求項７】
前記焦点調整可能写真組の各写真を前記第２端末に発送することは、
前記焦点調整可能写真組のインデックス写真に対応する組内の番号により、優先的に前記焦点調整可能写真組のインデックス写真を前記第２端末に発送することを含む、請求項６に記載の方法。
【請求項８】
前記焦点調整可能写真組のインデックス写真を変更する時、
前記第２端末が焦点調整可能写真の表示をサポートする場合、前記ＩＤ標識と変更後のインデックス写真に対応する組内の番号を含む前記インデックス写真の変更情報を前記第２端末に発送し、前記第２端末が前記焦点調整可能写真組のインデックス写真の変更を実行することと、
前記第２端末が焦点調整可能写真の表示をサポートしない場合、前記焦点調整可能写真組の変更後のインデックス写真を、変更前のインデックス写真を入れ替えるように前記第２端末に発送することをさらに含む、請求項６に記載の方法。
【請求項９】
前記第２端末に発送した前記インデックス写真は、写真に対応するサムネイルまたは写真のデータである、請求項５〜８の何れか一項に記載の方法。
【請求項１０】
前記第２端末に発送した前記焦点調整可能写真組の各写真は、写真に対応するサムネイルまたは写真のデータである、請求項６〜８の何れか一項に記載の方法。
【請求項１１】
サーバーから発送された焦点調整可能写真の同期指示を受信することと、
焦点調整可能写真の表示をサポートするか否かという提示情報をサーバーに返送することと、
焦点調整可能写真の表示をサポートする場合、サーバーから発送された焦点調整可能写真組のダウンロードデータを受信することと、
焦点調整可能写真の表示をサポートしない場合、サーバーから発送された前記焦点調整可能写真組のインデックス写真を受信することとを含む、写真の同期方法。
【請求項１２】
前記焦点調整可能写真の表示をサポートする場合、サーバーから発送された焦点調整可能写真組のダウンロードデータを受信することは、
少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記サーバーから受信することと、
前記パス情報により、前記サーバーから発送された焦点調整可能写真組の各写真をダウンロードすることと、
前記インデックス写真に対応する組内の番号により、前記焦点調整可能写真組のインデックス写真を設置することとを含む、請求項１１に記載の方法。
【請求項１３】
前記パス情報により、前記焦点調整可能写真組の各写真をダウンロードすることは、
前記焦点調整可能写真組のインデックス写真に対応する組内の番号により、優先的に前記焦点調整可能写真組のインデックス写真をダウンロードすることを含む、請求項１２に記載の方法。
【請求項１４】
前記焦点調整可能写真組のインデックス写真を変更する時、
焦点調整可能写真の表示をサポートする場合、前記ＩＤ標識と変更後のインデックス写真に対応する組内の番号を含む前記インデックス写真の変更情報をサーバーから受信し、前記ＩＤ標識と変更後のインデックス写真に対応する組内の番号により、前記ＩＤ標識で標識された焦点調整可能写真組のインデックス写真を変更することと、
焦点調整可能写真の表示をサポートしない場合、前記焦点調整可能写真組の変更後のインデックス写真を、変更前のインデックス写真を入れ替えるようにサーバーから受信することをさらに含む、請求項１２に記載の方法。
【請求項１５】
前記サーバーから発送された前記インデックス写真は、写真に対応するサムネイルまたは写真のデータである、請求項１１〜１４の何れか一項に記載の方法。
【請求項１６】
前記サーバーから発送された焦点調整可能写真組の各写真は、写真に対応するサムネイルまたは写真のデータである、請求項１２〜１４の何れか一項に記載の方法。
【請求項１７】
焦点調整可能写真の同期請求をサーバーにアップロードするための焦点調整可能写真同期請求アップロードモジュールと、
前記サーバーから返された、同期しようとする焦点調整可能写真組を標識するためのＩＤ標識を受信するＩＤ標識受信モジュールと、
少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードする写真アップロードモジュールとを含む、第１端末。
【請求項１８】
前記焦点調整可能写真組のインデックス写真を変更する時、前記ＩＤ標識と変更後のインデックス写真に対応する組内の番号を含むインデックス写真の変更情報をサーバーにアップロードし、前記サーバーが前記焦点調整可能写真組のインデックス写真の変更を実行する、変更情報アップロードモジュールをさらに含む、請求項１７に記載の端末。
【請求項１９】
第１端末から発送された焦点調整可能写真の同期請求を受信するための焦点調整可能写真の同期請求受信モジュールと、
アップロードされる焦点調整可能写真組を標識するためのＩＤ標識を前記第１端末に返すＩＤ標識フィードバックモジュールと、
少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記第１端末から受信する、アップロードデータ受信モジュールと、
前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定する写真記憶モジュールとを含む、サーバー。
【請求項２０】
前記第１端末からアップロードされた、前記ＩＤ標識と変更後のインデックス写真に対応する組内の番号を含むインデックス写真変更情報を受信する、変更情報受信モジュールと、
前記ＩＤ標識と変更後のインデックス写真に対応する組内の番号により、前記ＩＤ標識で標識された焦点調整可能写真組のインデックス写真を変更する、インデックス写真変更モジュールとをさらに含む、請求項１９に記載のサーバー。
【請求項２１】
焦点調整可能写真の同期指示を第２端末に発送する、同期指示発送モジュールと、
第２端末から返された、焦点調整可能写真の表示をサポートするか否かという提示情報を受信する、提示情報受信モジュールと、
前記第２端末が焦点調整可能写真の表示をサポートする場合、焦点調整可能写真組のダウンロードデータを前記第２端末に発送する、第１発送モジュールと、
前記第２端末が焦点調整可能写真の表示をサポートしない場合、焦点調整可能写真組のインデックス写真を前記第２端末に発送する、第２発送モジュールとを含む、サーバー。
【請求項２２】
前記第１発送モジュールは、
少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記第２端末に発送する、ダウンロードデータ発送ユニットと、
前記焦点調整可能写真組の各写真を前記第２端末に発送し、前記インデックス写真に対応する組内の番号により、前記焦点調整可能写真組のインデックス写真を設置する、写真発送ユニットとを含む、請求項２１に記載のサーバー。
【請求項２３】
前記写真発送ユニットは、前記焦点調整可能写真組のインデックス写真に対応する組内の番号により、優先的に前記焦点調整可能写真組のインデックス写真を前記第２端末に発送する、請求項２２に記載のサーバー。
【請求項２４】
前記第２端末が焦点調整可能写真の表示をサポートする場合、前記ＩＤ標識と変更後のインデックス写真に対応する組内の番号を含むインデックス写真の変更情報を前記第２端末に発送し、前記第２端末が前記焦点調整可能写真組のインデックス写真の変更を実行する、第１変更情報発送モジュールと、
前記第２端末が焦点調整可能写真の表示をサポートしない場合、前記焦点調整可能写真組の変更後のインデックス写真を、変更前のインデックス写真を入れ替えるように前記第２端末に発送する、第２変更情報発送モジュールと
をさらに含む、請求項２２に記載のサーバー。
【請求項２５】
前記第２端末に発送した前記インデックス写真は、写真に対応するサムネイルまたは写真のデータである、請求項２１〜２４の何れか一項に記載のサーバー。
【請求項２６】
前記第２端末に発送した前記焦点調整可能写真組の各写真は、写真に対応するサムネイルまたは写真のデータである、請求項２２〜２４の何れか一項に記載のサーバー。
【請求項２７】
サーバーから発送された、焦点調整可能写真の同期指示を受信する、同期指示受信モジュールと、
焦点調整可能写真の表示をサポートするか否かという提示情報をサーバーに返送する、提示情報返送モジュールと、
焦点調整可能写真の表示をサポートする場合、サーバーから発送された、焦点調整可能写真組のダウンロードデータを受信する、第１データ受信モジュールと、
焦点調整可能写真の表示をサポートしない場合、サーバーから発送された、焦点調整可能写真組のインデックス写真を受信する、第２データ受信モジュールとを含む、第２端末。
【請求項２８】
前記第１データ受信モジュールは、
少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、前記サーバーから発送された焦点調整可能写真組のダウンロードデータを受信する、ダウンロードデータ受信ユニットと、
前記パス情報により、前記サーバーから発送された焦点調整可能写真組の各写真をダウンロードする、写真ダウンロードユニットと、
前記インデックス写真に対応する組内の番号により、前記焦点調整可能写真組のインデックス写真を設置する、インデックス写真設置ユニットとを含む、請求項２７に記載の端末。
【請求項２９】
前記写真ダウンロードユニットは、前記焦点調整可能写真組のインデックス写真に対応する組内の番号により、優先的に前記焦点調整可能写真組のインデックス写真をダウンロードする、請求項２８に記載の端末。
【請求項３０】
焦点調整可能写真の表示をサポートする場合、サーバーから発送された、前記ＩＤ標識と変更後のインデックス写真に対応する組内の番号を含むインデックス写真の変更情報を受信し、前記ＩＤ標識と変更後のインデックス写真に対応する組内の番号により、前記ＩＤ標識で標識された焦点調整可能写真組のインデックス写真を変更する、第１変更情報受信モジュールと、
焦点調整可能写真の表示をサポートしない場合、サーバーから発送された、前記焦点調整可能写真組の変更後のインデックス写真を、変更前のインデックス写真を入れ替えるように受信する、第２変更情報受信モジュールと
をさらに含む、請求項２８に記載の端末。
【請求項３１】
前記サーバーから発送された前記インデックス写真は、写真に対応するサムネイルまたは写真のデータである、請求項２７〜３０の何れか一項に記載の端末。
【請求項３２】
前記サーバーから発送された前記焦点調整可能写真組の各写真は、写真に対応するサムネイルまたは写真のデータである、請求項２８〜３０の何れか一項に記載の端末。
【請求項３３】
プロセッサと、
プロセッサの実行可能な指令を記憶するためのメモリとを備え、
前記プロセッサは、
焦点調整可能写真の同期請求をサーバーにアップロードし、
前記サーバーから返された、同期しようとする焦点調整可能写真組を標識するためのＩＤ標識を受信し、
少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードする、ように配置されている、第１端末。
【請求項３４】
プロセッサと、
プロセッサの実行可能な指令を記憶するためのメモリとを備え、
前記プロセッサは、
第１端末から発送された、焦点調整可能写真の同期請求を受信し、
同期しようとする焦点調整可能写真組を標識するためのＩＤ標識を前記第１端末に返し、
少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、前記第１端末がアップロードした焦点調整可能写真組のアップロードデータを受信し、
前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定する、ように配置されている、サーバー。
【請求項３５】
プロセッサと、
プロセッサの実行可能な指令を記憶するためのメモリとを備え、
前記プロセッサは、
焦点調整可能写真の同期指示を第２端末に発送し、
前記第２端末から返された、焦点調整可能写真の表示をサポートするか否かという提示情報を受信し、
前記第２端末は焦点調整可能写真の表示をサポートする場合、焦点調整可能写真組のダウンロードデータを前記第２端末に発送し、
前記第２端末は焦点調整可能写真の表示をサポートしない場合、前記焦点調整可能写真組のインデックス写真を前記第２端末に発送する、ように配置されている、サーバー。
【請求項３６】
プロセッサと、
プロセッサの実行可能な指令を記憶するためのメモリとを備え、
前記プロセッサは、
サーバーから発送された、焦点調整可能写真の同期指示を受信し、
焦点調整可能写真の表示をサポートするか否かという提示情報をサーバーに返送し、
焦点調整可能写真の表示をサポートする場合、サーバーから発送された、焦点調整可能写真組のダウンロードデータを受信し、
焦点調整可能写真の表示をサポートしない場合、サーバーから発送された、焦点調整可能写真組のインデックス写真を受信する、ように配置されている、第２端末。
【請求項３７】
プロセッサに実行されることにより、請求項１〜１６の何れか一項に記載の方法を実現することを特徴とするプログラム。
【請求項３８】
請求項３７に記載のプログラムが記録された記録媒体。
【手続補正２】
【補正対象書類名】明細書
【補正対象項目名】全文
【補正方法】変更
【補正の内容】
【発明の詳細な説明】
【関連出願の相互参照】
【０００１】
本願は、出願番号２０１４１０１７７５１３．Ｘ、出願日２０１４年０４月２９日の中国特許出願に基づいて提出されたものであり、該中国特許出願の優先権を要求し、該中国特許出願のすべての内容を参考として本願に取り込む。
【技術分野】
【０００２】
本発明は、端末技術分野に関し、特に写真の同期方法同期方法、装置、プログラム及び記録媒体に関する。
【背景技術】
【０００３】
ＵｂiＦｏｃuｓとは、写真を撮った後の焦点合わせのための、写真を撮った後に焦点を調整する技術のことである。この技術のおかげで、ユーザは写真を撮ってから焦点を合わせることができ、異なる被写界深度を実現するように、すでに撮った写真の中で焦点を任意に選ぶことができる。
【０００４】
ＵｂiＦｏｃuｓ撮影はユーザエクスペリエンスを大幅に強化させた。ＵｂiＦｏｃuｓ写真をクラウド（cloud）にアップロードして複数の端末との間に同期することは、ユーザの切実なニーズとなる。この方式により、ローカル記憶の圧力を低減するだけではなく、ユーザの写真データもより安全になる。さらに、ＵｂiＦｏｃuｓ撮影をサポートしない端末でも、ユーザは新たにＵｂiＦｏｃuｓ焦点合わせを操作することができる。
【０００５】
従来技術では、クラウドは、アップロードされた一組のＵｂiＦｏｃuｓ写真を表示する時、通常デフォルト方式でその中の一枚のＵｂiＦｏｃuｓ写真をインデクスとして表示する。ユーザはインデクスとしてのＵｂiＦｏｃuｓ写真を変更する場合、修正後のＵｂiＦｏｃuｓインデックス写真を新たにクラウドにアップロードしなければならない。
【０００６】
つまり、ＵｂiＦｏｃuｓインデックス写真を変更してアップロードする過程において、ＵｂiＦｏｃuｓインデックス写真を新たにアップロードする必要があるので、ネットワークの流量と帯域幅を占めてしまう。特に変更したインデックスとしてのＵｂiＦｏｃuｓ写真のデータが大きい場合、写真のアップロード効率を大いに影響することになる。
【発明の概要】
【発明が解決しようとする課題】
【０００７】
従来技術に存在する問題を解決するため、本発明は、同期する時に占用するネットワークリソースを節約することができる写真の同期方法同期方法、装置、プログラム及び記録媒体を提供する。
【課題を解決するための手段】
【０００８】
本発明の実施態様の第１方面は、焦点を調整可能な写真（以下、単に焦点調整可能写真と称する）の同期請求をサーバーにアップロードすることと、前記サーバーから返された、同期しようとする焦点調整可能写真の組（以下、単に焦点調整可能写真組と称する）を標識するためのＩＤ標識を受信することと、少なくとも、前記ＩＤ標識と、前記焦点調整可能写真組の中の各写真のデータと、前記焦点調整可能写真組における各写真を標識するための、前記各写真に対応する組内の番号および前記焦点調整可能写真組のインデックス写真に対応する組内の番号とを含む、焦点調整可能写真組のアップロードデータを前記サーバーにアップロードすることとを含む、写真の同期方法を提供する。
【０００９】
前記写真の同期方法は、前記焦点調整可能写真組のインデックス写真を変更するに際して、前記ＩＤ標識と変更後のインデックス写真に対応する組内の番号とを含むインデックス写真変更情報をサーバーにアップロードし、前記サーバーが前記焦点調整可能写真組のインデックス写真の変更を実行することをさらに含む。
【００１０】
本発明の実施態様の第２方面は、第１端末から発送された、焦点調整可能写真の同期請求を受信することと、同期しようとする焦点調整可能写真組を標識するためのＩＤ標識を前記第１端末に返送することと、少なくとも、前記ＩＤ標識と、前記焦点調整可能写真組の中の各写真のデータと、前記焦点調整可能写真組における各写真を標識するための、前記各写真に対応する組内の番号および前記焦点調整可能写真組のインデックス写真に対応する組内の番号とを含む、焦点調整可能写真組のアップロードデータを第１端末から受信することと、前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定することとを含む、写真の同期方法を提供する。
【００１１】
当該写真の同期方法は、前記第１端末からアップロードされた、前記ＩＤ標識と変更後のインデックス写真に対応する組内の番号とを含むインデックス写真の変更情報を受信することと、前記ＩＤ標識と変更後のインデックス写真に対応する組内の番号により、前記ＩＤ標識で標識された焦点調整可能写真組のインデックス写真を変更することとをさらに含む。
【００１２】
本発明の実施態様の第３方面は、焦点調整可能写真の同期指示を第２端末に発送することと、前記第２端末から返された、焦点調整可能写真の表示をサポートするか否かという提示情報を受信することと、前記第２端末が焦点調整可能写真の表示をサポートする場合、焦点調整可能写真組のダウンロードデータを前記第２端末に発送することと、前記第２端末が焦点調整可能写真の表示をサポートしない場合、焦点調整可能写真組のインデックス写真を前記第２端末に発送することとを含む、写真の同期方法を提供する。
【００１３】
前記同期方法は、前記第２端末が焦点調整可能写真の表示をサポートする場合、焦点調整可能写真組のダウンロードデータを前記第２端末に発送することは、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記第２端末に発送することと、前記焦点調整可能写真組の各写真を前記第２端末に発送し、前記インデックス写真に対応する組内の番号により、前記焦点調整可能写真組のインデックス写真を設置することとをさらに含む。
【００１４】
前記同期方法は、前記焦点調整可能写真組の各写真を前記第２端末に発送することは、前記焦点調整可能写真組のインデックス写真に対応する組内の番号により、優先的に前記焦点調整可能写真組のインデックス写真を前記第２端末に発送することをさらに含む。
【００１５】
前記同期方法は、前記焦点調整可能写真組のインデックス写真を変更する時、前記第２端末が焦点調整可能写真の表示をサポートする場合、前記ＩＤ標識と変更後のインデックス写真に対応する組内の番号を含む前記インデックス写真の変更情報を前記第２端末に発送し、前記第２端末が前記焦点調整可能写真組のインデックス写真の変更を実行することと、前記第２端末が焦点調整可能写真の表示をサポートしない場合、前記焦点調整可能写真組の変更後のインデックス写真を、変更前のインデックス写真を入れ替えるように前記第２端末に発送することをさらに含む。
【００１６】
さらに、前記第２端末に発送した前記インデックス写真は、写真に対応するサムネイルまたは写真のデータである。
【００１７】
さらに、前記第２端末に発送した前記焦点調整可能写真組の各写真は、写真に対応するサムネイルまたは写真のデータである。
【００１８】
本発明の実施態様の第４方面は、サーバーから発送された焦点調整可能写真の同期指示を受信することと、焦点調整可能写真の表示をサポートするか否かという提示情報をサーバーに返送することと、焦点調整可能写真の表示をサポートする場合、サーバーから発送された焦点調整可能写真組のダウンロードデータを受信することと、焦点調整可能写真の表示をサポートしない場合、サーバーから発送された前記焦点調整可能写真組のインデックス写真を受信することとを含む、写真の同期方法を提供する。
【００１９】
前記同期方法は、前記焦点調整可能写真の表示をサポートする場合、サーバーから発送された焦点調整可能写真組のダウンロードデータを受信することは、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記サーバーから受信することと、前記パス情報により、前記サーバーから発送された焦点調整可能写真組の各写真をダウンロードすることと、前記インデックス写真に対応する組内の番号により、前記焦点調整可能写真組のインデックス写真を設置することとをさらに含む。
【００２０】
前記パス情報により、前記焦点調整可能写真組の各写真をダウンロードすることは、前記焦点調整可能写真組のインデックス写真に対応する組内の番号により、優先的に前記焦点調整可能写真組のインデックス写真をダウンロードすることを含む。
【００２１】
前記同期方法は、前記焦点調整可能写真組のインデックス写真を変更する時、焦点調整可能写真の表示をサポートする場合、前記ＩＤ標識と変更後のインデックス写真に対応する組内の番号を含む前記インデックス写真の変更情報をサーバーから受信し、前記ＩＤ標識と変更後のインデックス写真に対応する組内の番号により、前記ＩＤ標識で標識された焦点調整可能写真組のインデックス写真を変更することと、焦点調整可能写真の表示をサポートしない場合、前記焦点調整可能写真組の変更後のインデックス写真を、変更前のインデックス写真を入れ替えるようにサーバーから受信することをさらに含む。
【００２２】
さらに、前記サーバーから発送された前記インデックス写真は、写真に対応するサムネイルまたは写真のデータである。
【００２３】
さらに、前記サーバーから発送された焦点調整可能写真組の各写真は、写真に対応するサムネイルまたは写真のデータである。
【００２４】
本発明の実施態様の第５方面は、焦点調整可能写真の同期請求をサーバーにアップロードするための焦点調整可能写真同期請求アップロードモジュールと、前記サーバーから返された、同期しようとする焦点調整可能写真組を標識するためのＩＤ標識を受信するＩＤ標識受信モジュールと、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードする写真アップロードモジュールとを含む、第１端末を提供する。
【００２５】
前記第１端末は、前記焦点調整可能写真組のインデックス写真を変更する時、前記ＩＤ標識と変更後のインデックス写真に対応する組内の番号を含むインデックス写真の変更情報をサーバーにアップロードし、前記サーバーが前記焦点調整可能写真組のインデックス写真の変更を実行する、変更情報アップロードモジュールをさらに含む。
【００２６】
本発明の実施態様の第６方面は、第１端末から発送された焦点調整可能写真の同期請求を受信するための焦点調整可能写真の同期請求受信モジュールと、アップロードされる焦点調整可能写真組を標識するためのＩＤ標識を前記第１端末に返すＩＤ標識フィードバックモジュールと、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記第１端末から受信する、アップロードデータ受信モジュールと、前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定する写真記憶モジュールとを含む、サーバーを提供する。
【００２７】
前記サーバーは、前記第１端末からアップロードされた、前記ＩＤ標識と変更後のインデックス写真に対応する組内の番号を含むインデックス写真変更情報を受信する、変更情報受信モジュールと、前記ＩＤ標識と変更後のインデックス写真に対応する組内の番号により、前記ＩＤ標識で標識された焦点調整可能写真組のインデックス写真を変更する、インデックス写真変更モジュールとをさらに含む。
【００２８】
本発明の実施態様の第７の方面は、焦点調整可能写真の同期指示を第２端末に発送する、同期指示発送モジュールと、第２端末から返された、焦点調整可能写真の表示をサポートするか否かという提示情報を受信する、提示情報受信モジュールと、前記第２端末が焦点調整可能写真の表示をサポートする場合、焦点調整可能写真組のダウンロードデータを前記第２端末に発送する、第１発送モジュールと、前記第２端末が焦点調整可能写真の表示をサポートしない場合、焦点調整可能写真組のインデックス写真を前記第２端末に発送する、第２発送モジュールとを含む、サーバーを提供する。
【００２９】
前記第１発送モジュールは、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、焦点調整可能写真組のダウンロードデータを前記第２端末に発送する、ダウンロードデータ発送ユニットと、前記焦点調整可能写真組の各写真を前記第２端末に発送し、前記インデックス写真に対応する組内の番号により、前記焦点調整可能写真組のインデックス写真を設置する、写真発送ユニットとを含む。
【００３０】
前記サーバーにおいて、前記写真発送ユニットは、前記焦点調整可能写真組のインデックス写真に対応する組内の番号により、優先的に前記焦点調整可能写真組のインデックス写真を前記第２端末に発送する。
【００３１】
前記サーバーは、前記第２端末が焦点調整可能写真の表示をサポートする場合、前記ＩＤ標識と変更後のインデックス写真に対応する組内の番号を含むインデックス写真の変更情報を前記第２端末に発送し、前記第２端末が前記焦点調整可能写真組のインデックス写真の変更を実行する、第１変更情報発送モジュールと、前記第２端末が焦点調整可能写真の表示をサポートしない場合、前記焦点調整可能写真組の変更後のインデックス写真を、変更前のインデックス写真を入れ替えるように前記第２端末に発送する、第２変更情報発送モジュールとをさらに含む。
【００３２】
さらに、前記第２端末に発送した前記インデックス写真は、写真に対応するサムネイルまたは写真のデータである。
【００３３】
さらに、前記第２端末に発送した前記焦点調整可能写真組の各写真は、写真に対応するサムネイルまたは写真のデータである。
【００３４】
本発明の実施態様の第８の方面は、サーバーから発送された、焦点調整可能写真の同期指示を受信する、同期指示受信モジュールと、焦点調整可能写真の表示をサポートするか否かという提示情報をサーバーに返送する、提示情報返送モジュールと、焦点調整可能写真の表示をサポートする場合、サーバーから発送された、焦点調整可能写真組のダウンロードデータを受信する、第１データ受信モジュールと、焦点調整可能写真の表示をサポートしない場合、サーバーから発送された、焦点調整可能写真組のインデックス写真を受信する、第２データ受信モジュールとを含む、第２端末を提供する。
【００３５】
前記端末において、前記第１データ受信モジュールは、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組における各写真に対応する組内の番号および前記焦点調整可能写真組のインデックス写真に対応する組内の番号とを含む、前記サーバーから発送された焦点調整可能写真組のダウンロードデータを受信する、ダウンロードデータ受信ユニットと、前記パス情報により、前記サーバーから発送された焦点調整可能写真組の各写真をダウンロードする、写真ダウンロードユニットと、前記インデックス写真に対応する組内の番号により、前記焦点調整可能写真組のインデックス写真を設置する、インデックス写真設置ユニットとを含む。
【００３６】
さらに、前記写真ダウンロードユニットは、前記焦点調整可能写真組のインデックス写真に対応する組内の番号により、優先的に前記焦点調整可能写真組のインデックス写真をダウンロードする。
【００３７】
前記端末は、焦点調整可能写真の表示をサポートする場合、サーバーから発送された、前記ＩＤ標識と変更後のインデックス写真に対応する組内の番号を含むインデックス写真の変更情報を受信し、前記ＩＤ標識と変更後のインデックス写真に対応する組内の番号により、前記ＩＤ標識で標識された焦点調整可能写真組のインデックス写真を変更する、第１変更情報受信モジュールと、焦点調整可能写真の表示をサポートしない場合、サーバーから発送された、前記焦点調整可能写真組の変更後のインデックス写真を、変更前のインデックス写真を入れ替えるように受信する、第２変更情報受信モジュールとをさらに含む。
【００３８】
さらに、前記サーバーから発送された前記インデックス写真は、写真に対応するサムネイルまたは写真のデータである。
【００３９】
さらに、前記サーバーから発送された前記焦点調整可能写真組の各写真は、写真に対応するサムネイルまたは写真のデータである。
【００４０】
本発明の実施態様の第９の方面は、プロセッサと、プロセッサの実行可能な指令を記憶するためのメモリとを備え、前記プロセッサは、焦点調整可能写真の同期請求をサーバーにアップロードし、前記サーバーから返された、同期しようとする焦点調整可能写真組を標識するためのＩＤ標識を受信し、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードする、ように配置されている、第１端末を提供する。
【００４１】
本発明の実施態様の第１０の方面は、プロセッサと、プロセッサの実行可能な指令を記憶するためのメモリとを備え、前記プロセッサは、第１端末から発送された、焦点調整可能写真の同期請求を受信し、同期しようとする焦点調整可能写真組を標識するためのＩＤ標識を前記第１端末に返し、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、前記第１端末がアップロードした焦点調整可能写真組のアップロードデータを受信し、前記ＩＤ標識により、前記焦点調整可能写真組の各写真の写真データと前記各写真に対応する組内の番号を記憶し、前記インデックス写真に対応する組内の番号により、前記焦点調整可能写真組のインデックス写真を特定する、ように配置されている、サーバーを提供する。
【００４２】
本発明の実施態様の第１１の方面は、プロセッサと、プロセッサの実行可能な指令を記憶するためのメモリとを備え、前記プロセッサは、焦点調整可能写真の同期指示を第２端末に発送し、前記第２端末から返された、焦点調整可能写真の表示をサポートするか否かという提示情報を受信し、前記第２端末は焦点調整可能写真の表示をサポートする場合、焦点調整可能写真組のダウンロードデータを前記第２端末に発送し、前記第２端末は焦点調整可能写真の表示をサポートしない場合、前記焦点調整可能写真組のインデックス写真を前記第２端末に発送する、ように配置されている、サーバーを提供する。
【００４３】
本発明の実施態様の第１２の方面は、プロセッサと、プロセッサの実行可能な指令を記憶するためのメモリとを備え、前記プロセッサは、サーバーから発送された、焦点調整可能写真の同期指示を受信し、焦点調整可能写真の表示をサポートするか否かという提示情報をサーバーに返送し、焦点調整可能写真の表示をサポートする場合、サーバーから発送された、焦点調整可能写真組のダウンロードデータを受信し、焦点調整可能写真の表示をサポートしない場合、サーバーから発送された、焦点調整可能写真組のインデックス写真を受信する、ように配置されている、第２端末を提供する。
本発明の実施態様の第１３の方面は、プロセッサに実行されることにより、前記写真の同期方法を実現することを特徴とするプログラムを提供する。
本発明の実施態様の第１４の方面は、前記プログラムが記録された記録媒体を提供する。
【発明の効果】
【００４４】
本発明の実施態様で提供された技術構成は下記のような有益な効果を含む。即ち、本発明の端末がバンディングのクラウドサーバーに、同期しようとする焦点調整可能写真組をアップロードする過程において、サーバーは焦点調整可能写真組にＩＤ標識を分配し、端末は焦点調整可能写真組の各写真に組内の番号を付け、インデックス写真を特定した場合、インデックス写真に対応する組内の番号をサーバーに知らせる。サーバーは、焦点調整可能写真組に含まれる各写真に対応する組内の番号を知るので、後続の端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを節約できる。
【００４５】
以上の一般的な記述および後での詳しい記述は、例示的と説明的なものに過ぎず、本発明はそれらに限られていない。
【図面の簡単な説明】
【００４６】
以下の図面は、明細書の一部分として明細書全体を構成することにより、本発明に合致する実施例を例示するとともに、本発明の原理を解釈するためのものである。
【００４７】
【図１】本発明の実施態様に示される写真の同期方法のフローチャート図である。
【図２】図１に示される実施態様に基づいた他の写真の同期方法のフローチャート図である。
【図３】本発明の実施態様に示されるサーバー側の写真の同期フローチャート図である。
【図４】図３に示される実施態様に基づいた他の写真の同期方法のフローチャート図である。
【図５】本発明の実施態様に示される他のサーバー側の写真同期フローチャート図である。
【図６】図５のステップＳ５０３の詳しいフローチャート図である。
【図７】本発明の実施態様に示される他のサーバー側の写真同期フローチャート図である。
【図８】本発明の実施態様に示される第２端末側の写真同期フローチャート図である。
【図９】図５のステップＳ８０３の詳しいフローチャート図である。
【図１０】本発明の実施態様に示される第２端末側の他の写真同期フローチャート図である。
【図１１】本発明の実施態様に示される第１端末の構造を示す図である。
【図１２】本発明の実施態様に示される他の第１端末の構造を示す図である。
【図１３】本発明の実施態様に示されるサーバーの構造を示す図である。
【図１４】本発明の実施態様に示される他のサーバーの構造を示す図である。
【図１５】本発明の実施態様に示されるさらに他のサーバーの構造を示す図である。
【図１６】図１５における第１発送モジュール１５３の構造を示す図である。
【図１７】本発明の実施態様に示される他のサーバーの構造を示す図である。
【図１８】本発明の実施態様に示される第２端末の構造を示す図である。
【図１９】図１８の第１データ受信モジュール１８３の構造を示す図である。
【図２０】本発明の実施態様に示される他の第２端末の構造を示す図である。
【図２１】本発明の実施態様が提供する端末装置の実施例の例示的なブロック図である。
【図２２】本発明の実施態様のサーバーの構造を示す図である。
【００４８】
以上の図面を通じて、本発明の実施例を例示しているが、そのさらに具体的な内容については後述する。これらの図面及び文字記載は、本発明の趣旨の範囲を限定するためのものではなく、特定の実施例を参照として、当業者に本発明のコンセプトを理解させるためのものである。
【発明を実施するための形態】
【００４９】
次に例示的な実施態様を詳しく説明し、例示を図面に示す。以下の記述は図面に係る場合、特別に表示する以外は、違う図の中の同じの数字は、同じまたは類似した要素を表す。以下の例示的な実施例の実施態様は、本発明と一致するあらゆる実施態様を表すものではなく、請求の範囲に詳しく記載した、本発明のある方面と一致する装置と方法の例に過ぎない。
【００５０】
図１は、本発明の一態様により示される写真の同期方法のフローチャート図である。図１に示されるように、該写真の同期方法は端末に用いられ、下記のステップを含んでもよい。
【００５１】
ステップＳ１０１において、焦点調整可能写真の同期請求をサーバーにアップロードする。
【００５２】
ステップＳ１０２において、前記サーバーから返された、同期しようとする焦点調整可能写真組を標識するためのＩＤ標識を受信する。
【００５３】
ステップＳ１０３において、少なくとも前記ＩＤ標識と、前記焦点調整可能写真組の中の各写真のデータと、前記焦点調整可能写真組にける各写真を標識するための、前記焦点調整可能写真組における前記各写真に対応する組内の番号および前記焦点調整可能写真組のインデックス写真に対応する組内の番号とを含む、焦点調整可能写真組のアップロードデータを前記サーバーにアップロードする。
【００５４】
該実施態様において、端末と、バンディング（binding）したクラウドサーバーとの間に写真を同期する。同期される写真は、例えばＵｂiＦｏｃuｓ写真のような焦点調整可能写真である。
【００５５】
ステップＳ１０１において、第１端末は、まず、焦点調整可能写真の同期請求をクラウドサーバーにアップロードし、同期しようとする焦点調整可能写真をアップロードすることをサーバーに伝える。
【００５６】
通常は、ある端末は、同期しようとする焦点調整可能写真をクラウドサーバーにアップロードし、そして、サーバーは、受け取った同期しようとする焦点調整可能写真をその他のバインディングした端末との間に同期する。区別付けるように、本発明には、同期しようとする焦点調整可能写真をクラウドサーバーにアップロードする端末を「第１端末」と称し、サーバーと写真の同期をするその他の端末を「第２端末」と称する。
【００５７】
ステップＳ１０２において、第１端末はサーバーから返されたＩＤ標識を受信する。該ＩＤ標識により、サーバーは受信した焦点調整可能写真組を標識する。これは、通常に、第１端末が焦点調整可能写真をアップロードする時、異なる焦点距離を有する同一場面の一組の写真、即ち焦点調整可能写真組をアップロードする。サーバーは、第１端末がアップロードした、異なる焦点調整可能写真組を区別付けるため、第１端末からアップロードされた異なる焦点調整可能写真組にそれぞれ一つのＩＤ標識を与える。異なる焦点調整可能写真組は異なるＩＤ標識を有し、同一の焦点調整可能写真組の中の各写真は、同じＩＤ標識、即ち該写真が属する焦点調整可能写真組のＩＤ標識を持っている。ＩＤ標識を分配した後、サーバーは該ＩＤ標識を第１端末に返送する。
【００５８】
ステップＳ１０３において、第１端末は、サーバーから返されたＩＤ標識を受信した後、少なくともＩＤ標識と、焦点調整可能写真組の中の各写真のデータと、焦点調整可能写真組に含まれる各写真に対応する組内の番号および焦点調整可能写真組のインデックス写真に対応する組内の番号とを含む、焦点調整可能写真組のアップロードデータをサーバーにアップロードすることを始める。焦点調整可能写真組の中の各写真にはそれぞれ該ＩＤ標識が付けられる。この他、第１端末は、焦点調整可能写真組内の各写真に組内の番号を付け、同一組の中の異なる写真は、異なる組内番号を有する。この組内の番号により、焦点調整可能写真組内の各写真を標識する。これによって、焦点調整可能写真組のインデックス写真を決めた後、インデックス写真に対応する組内の番号をサーバーに知らせればよい。
【００５９】
本発明では、端末がバインディングのクラウドサーバーに同期しようとする焦点調整可能写真組をアップロードする過程において、サーバーは、焦点調整可能写真組にＩＤ標識を分配し、端末は、焦点調整可能写真組の各写真に組内の番号を付け、インデックス写真を特定した場合、インデックス写真に対応する組内の番号をサーバーに知らせる。サーバーは、焦点調整可能写真組に含まれる各写真に対応する組内の番号を知るので、後続の端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。
【００６０】
次に図２に示される実施態様により、焦点調整可能写真組のインデックス写真を変更する場合のフローを説明する。該フローは、以下のステップを含んでもよい。
【００６１】
ステップＳ１０１において、焦点調整可能写真の同期請求をサーバーにアップロードする。
【００６２】
ステップＳ１０２において、前記サーバーから返された、同期しようとする焦点調整可能写真組を標識するためのＩＤ標識を受信する。
【００６３】
ステップＳ１０３において、少なくとも前記ＩＤ標識と、前記焦点調整可能写真組の中の各写真のデータと、前記焦点調整可能写真組に含まれる各写真を標識するための、前記焦点調整可能写真組に含まれる各写真に対応する組内の番号および前記焦点調整可能写真組のインデックス写真に対応する組内の番号とを含む、焦点調整可能写真組のアップロードデータを前記サーバーにアップロードする。
【００６４】
ステップＳ１０４において、前記焦点調整可能写真組のインデックス写真を変更するに際して、前記ＩＤ標識と変更後のインデックス写真に対応する組内の番号とを含むインデックス写真変更情報をサーバーにアップロードし、前記サーバーが前記焦点調整可能写真組のインデックス写真の変更を実行する。
【００６５】
該実施態様には、焦点調整可能写真組の中の各写真に対応する組内の番号をサーバーは知るので、後続の第１端末がアップロードした焦点調整可能写真組のインデックス写真を変更する必要がある場合、変更後のインデックス写真を新たにアップロードする必要はなく、インデックス写真の変更情報をアップロードすればよい。変更後のインデックス写真に対応する組内の番号および対応のＩＤ標識をインデックス写真の変更情報に添えて、前記焦点調整可能写真組のインデックス写真の変更がサーバーにより実行される。これより分かるように、第１端末は、変更後のインデックス写真を新たにアップロードする必要がなく、変動後のインデックス写真に対応する組内の番号および対応のＩＤ標識をアップロードすればよいので、写真同期時に占用するネットワークリソースを大いに節約できる。
【００６６】
サーバーは、焦点調整可能写真組の中の各写真に対応する組内の番号を知ったので、第１端末からアップロードされた、変更後のインデックス写真に対応する組内の番号および対応のＩＤ標識を受信すると、組内の番号により変更後のインデックス写真を特定して、インデックス写真の変更を実行することができる。
【００６７】
次は具体的な応用場面を例として、上記写真の同期過程について説明する。
【００６８】
ＵｂiＦｏｃuｓ写真の同期を例にする。第１端末がＵｂiＦｏｃuｓ写真組をサーバーにアップロードする時、ＵｂiＦｏｃuｓ写真組の組内の各写真は、組内の番号と、所属組のＩＤ標識が付けられる。デフォルト方式によって、アップロードされたばかりのＵｂiＦｏｃuｓ写真組のデフォルトインデックス写真は、組内の番号が１である写真である。ユーザは、インデックス写真を、組内の番号が３である写真に変更したい場合、ユーザによって、少なくとも変更しようとするＵｂiＦｏｃuｓ写真組のＩＤおよび変更後のインデックス写真に対応する組内番号３を含む同期指令をクラウドサーバーに発送する。クラウドサーバーは該同期指令を受けた後、該ＩＤに従って対応するＵｂiＦｏｃuｓ写真組を探し、組内番号が３である写真をインデックス写真に設置する。これより分かるように、組内の番号が３である写真を新たにアップロードする必要はないため、写真同期時に占用するネットワークリソースを大いに節約でき、瞬間に同期を実現できる。
【００６９】
上記実施態様は、第１端末側から、写真の同期を実現するフローを説明した。次にサーバー側から、上記写真の同期を実現するフローについて説明する。
【００７０】
図３は、サーバー側の写真同期フローを示す図である。該フローは、下記のステップを含んでもよい。
【００７１】
ステップＳ３０１において、第１端末から発送された、焦点調整可能写真の同期請求を受信する。
【００７２】
ステップＳ３０２において、同期しようとする焦点調整可能写真組を標識するためのＩＤ標識を前記第１端末に返送する。
【００７３】
ステップＳ３０３において、少なくとも前記ＩＤ標識と、前記焦点調整可能写真組の中の各写真のデータと、前記焦点調整可能写真組にける各写真を標識するための、前記焦点調整可能写真組に含まれる各写真に対応する組内の番号および前記焦点調整可能写真組のインデックス写真に対応する組内の番号とを含む、焦点調整可能写真組のアップロードデータを第１端末から受信する。
【００７４】
ステップＳ３０４において、前記ＩＤ標識に従って、前記焦点調整可能写真組における各写真の写真データと前記各写真に対応する組内の番号を記憶し、前記インデックス写真に対応する組内の番号により、前記焦点調整可能写真組のインデックス写真を特定する。
【００７５】
該実施態様には、通常、第１端末が焦点調整可能写真をアップロードする時、異なる焦点距離を有する同一場面の一組の写真、即ち焦点調整可能写真組、をアップロードする。サーバーは、第１端末がアップロードした、異なる焦点調整可能写真組を区別付けるために、第１端末にアップロードされた異なる焦点調整可能写真組にそれぞれ一つのＩＤ標識を与える。異なる焦点調整可能写真組は異なるＩＤ標識を有し、同一の焦点調整可能写真組の中の各写真は、同じＩＤ標識、即ち該写真が属する焦点調整可能写真組のＩＤ標識を持っている。ＩＤ標識を分配した後、サーバーは該ＩＤ標識を第１端末に返送する。
【００７６】
サーバーから返されたＩＤ標識を第１端末が受信した後、少なくともＩＤ標識と、焦点調整可能写真組の中の各写真のデータと、焦点調整可能写真組に含まれる各写真に対応する組内の番号および焦点調整可能写真組のインデックス写真に対応する組内の番号とを含む、焦点調整可能写真組のアップロードデータをサーバーにアップロードすることを始める。焦点調整可能写真組の中の各写真にはそれぞれ該ＩＤ標識が付けられる。この他、第１端末は、焦点調整可能写真組内の各写真にそれぞれ一つの組内の番号を付け、同一組の中の異なる写真は、異なる組内番号を有する。この組内の番号により、焦点調整可能写真組内の各写真を標識する。これによって、焦点調整可能写真組のインデックス写真を決めた後、インデックス写真に対応する組内の番号をサーバーに知らせればよい。
【００７７】
本発明では、端末は、同期しようとする焦点調整可能写真組を、バインディングしたクラウドサーバーにアップロードする過程において、サーバーは焦点調整可能写真組にＩＤ標識を分配し、端末は焦点調整可能写真組の各写真に組内の番号を付け、インデックス写真を特定した場合、インデックス写真に対応する組内の番号をサーバーに知らせる。サーバーは、焦点調整可能写真組に含まれる各写真に対応する組内の番号を知るので、後続の端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。
【００７８】
図４に示される実施態様は、焦点調整可能写真組のインデックス写真をサーバー側で変更する場合のフローであり、図３に示される実施態様の上で、さらに、以下のステップを追加してもよい。
【００７９】
ステップＳ３０５において、前記第１端末からアップロードされた、前記ＩＤ標識と変更後のインデックス写真に対応する組内の番号とを含むインデックス写真の変更情報を受信する。
【００８０】
ステップＳ３０６において、前記ＩＤ標識と変更後のインデックス写真に対応する組内の番号により、前記ＩＤ標識で標識された焦点調整可能写真組のインデックス写真を変更する。
【００８１】
該実施態様には、焦点調整可能写真組の中の各写真に対応する組内の番号をサーバーは知るので、後続の第１端末がアップロードした焦点調整可能写真組のインデックス写真を変更する必要がある場合、変更後のインデックス写真を新たにアップロードする必要はなく、インデックス写真の変更情報をアップロードすればよい。インデックス写真の変更情報に変更後のインデックス写真に対応する組内の番号および対応のＩＤ標識を含み、前記焦点調整可能写真組のインデックス写真の変更がサーバーで実行される。第１端末は、変更後のインデックス写真を新たにアップロードする必要がなく、変動後のインデックス写真に対応する組内の番号および対応のＩＤ標識をアップロードすればよいので、写真同期時に占用するネットワークリソースを大いに節約できる。サーバーは、焦点調整可能写真組の中の各写真に対応する組内の番号を知ったので、第１端末からアップロードされた、変更後のインデックス写真に対応する組内の番号および対応のＩＤ標識を受信すると、組内の番号により変更後のインデックス写真を特定して、インデックス写真の変更を実行することができる。
【００８２】
本発明では、第１端末からアップロードされた焦点調整可能写真組をサーバーは受け取った後、バインディングした第２端末に該焦点調整可能写真組を同期することができる。これから該同期過程について詳しく説明する。
【００８３】
図５は、サーバー側の、第２端末に写真同期をするフローチャート図である。該実施態様は下記のステップを含んでもよい。
【００８４】
ステップＳ５０１において、焦点調整可能写真の同期指示を第２端末に発送する。
【００８５】
ステップＳ５０２において、前記第２端末から返された、焦点調整可能写真の表示をサポートするか否かという提示情報を受信する。
【００８６】
ステップＳ５０３において、前記第２端末が焦点調整可能写真の表示をサポートする場合、焦点調整可能写真組のダウンロードデータを前記第２端末に発送する。
【００８７】
ステップＳ５０４において、前記第２端末が焦点調整可能写真の表示をサポートしない場合、焦点調整可能写真組のインデックス写真を前記第２端末に発送する。
【００８８】
実際適用の場合、第２端末が焦点調整可能写真の表示をサポートするか否かによって、サーバーが第２端末に写真を同期する方法は異なる。そこで、サーバーは、まず、第２端末が焦点調整可能写真の表示をサポートするか否かを特定しなければならない。サーバーは、焦点調整可能写真の同期指示を第２端末に発送し、焦点調整可能写真の同期を始めることを第２端末に伝えなければならない。第２端末は、自身のパラメータにより、焦点調整可能写真の表示をサポートするか否かという提示情報をサーバーに返す。該提示情報は、焦点調整可能写真の表示をサポートすること、又は、焦点調整可能写真の表示をサポートしないことを含む。サーバーは、第２端末から返された提示情報を受信し、第２端末が焦点調整可能写真の表示をサポートする場合、焦点調整可能写真組のダウンロードデータを第２端末に発送する。第２端末が焦点調整可能写真の表示をサポートしない場合、サーバーは、焦点調整可能写真組のインデックス写真を第２端末に発送する。
【００８９】
図６に示される実施態様には、第２端末が焦点調整可能写真の表示をサポートする場合、サーバーが焦点調整可能写真組のダウンロードデータを第２端末に発送するフローの詳しいステップは、以下のステップを含んでもよい。
【００９０】
ステップＳ６０１において、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組に含まれる各写真に対応する組内の番号および前記焦点調整可能写真組のインデックス写真に対応する組内の番号とを含む、焦点調整可能写真組のダウンロードデータを前記第２端末に発送する。
【００９１】
ステップＳ６０２において、前記焦点調整可能写真組の各写真を前記第２端末に発送し、前記インデックス写真に対応する組内の番号により前記焦点調整可能写真組のインデックス写真を設置する。
【００９２】
該実施態様では、サーバーが発送した、焦点調整可能写真組のダウンロードデータには、同期しようとする焦点調整可能写真組のＩＤ標識と、組内の各写真に付けられる組内の番号とＩＤ標識と、インデックス写真に対応する組内の番号と、組内の各写真のパス情報とを含めてもいい。前記パス情報は、前記焦点調整可能写真組の各写真の記憶パス情報である。組内の番号は、焦点調整可能写真組において各写真を標識するものである。サーバーは、焦点調整可能写真組の各写真を第２端末に発送すると同時に、インデックス写真に対応する組内の番号により焦点調整可能写真組のインデックス写真を設置する。
【００９３】
ただし、焦点調整可能写真組のインデックス写真に対応する組内の番号により、優先的に焦点調整可能写真組のインデックス写真を第２端末に発送しても良い。
【００９４】
焦点調整可能写真組のインデックス写真を変更する時、図７に示されるように、図６に示される実施態様の上にさらに、以下のステップを含んでもよい。
【００９５】
ステップＳ６０３において、前記第２端末が焦点調整可能写真の表示をサポートする場合、前記ＩＤ標識と変更後のインデックス写真に対応する組内の番号を含むインデックス写真の変更情報を前記第２端末に発送し、前記第２端末が前記焦点調整可能写真組のインデックス写真の変更を実行する。
【００９６】
ステップＳ６０４において、前記第２端末が焦点調整可能写真の表示をサポートしない場合、前記焦点調整可能写真組の変更後のインデックス写真を、変更前のインデックス写真を入れ替えるように前記第２端末に発送する。
【００９７】
これにより明らかに、第２端末が焦点調整可能写真の表示をサポートする場合、第２端末が焦点調整可能写真組のインデックス写真の変更を実行するように、サーバーは、変更後のインデックス写真に対応する組内の番号とＩＤ標識を第２端末に発送しても良い。第２端末が焦点調整可能写真の表示をサポートする場合、変更前のインデックス写真を入れ替えるように、焦点調整可能写真組の変更後のインデックス写真を第２端末に直接に発送する必要がある。
【００９８】
同じ理由で、サーバーが下に向いて同期する過程において、アップロードした焦点調整可能写真組のインデックス写真を第１端末は変更する時、焦点調整可能写真の表示をサポートする第２端末には、変更後のインデックス写真を新たに発送する必要はなく、入れ替えた後のインデックス写真の組内番号および変更後のインデックス写真の組内番号を発送すればよい。これも、写真同期時に占用するネットワークリソースを大いに節約することができる。
【００９９】
ただし、該実施態様には、サーバーが第２端末に発送したインデックス写真は、写真に対応するサムネイルまたは写真のデータであってもよい。また、サーバーが第２端末に発送した焦点調整可能写真組の各写真は、写真に対応するサムネイルまたは写真のデータであってもよい。
【０１００】
実際適用の場合、通常、サムネイルのデータ量は原始の写真のデータ量より小さい。サムネイルを同期すると、ユーザの一般的なブラウズ需要を満たすことができ、ユーザの流量の節約することができる。ユーザは該サムネイルをクリックした場合だけ、クラウドサーバーから原始写真のデータをダウンロードすることになる。勿論、ユーザの流量の節約を考えない場合、原始写真のデータを同期することも可能である。
【０１０１】
上記実施態様は、サーバー側から写真の同期フローを説明した。図８に示されるように、第２端末側から、写真の同期フローを説明する。このフローは、以下のステップを含んでもよい。
【０１０２】
ステップＳ８０１において、サーバーから発送された焦点調整可能写真の同期サポートを受信する。
【０１０３】
ステップＳ８０２において、焦点調整可能写真の表示をサポートするか否かという提示情報をサーバーに返送する。
【０１０４】
ステップＳ８０３において、調整可能な写真の表示をサポートする場合、サーバーから発送された焦点調整可能写真組のダウンロードデータを受け取る。
【０１０５】
ステップＳ８０４において、調整可能な写真の表示をサポートしない場合、サーバーから発送された前記焦点調整可能写真組のインデックス写真を受け取る。
【０１０６】
焦点調整可能写真の表示をサポートする第２端末について、図９に示されるように、ステップＳ８０３のフローは、以下のステップを含んでもよい。
【０１０７】
ステップＳ９０１において、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組に含まれる各写真に対応する組内の番号および前記焦点調整可能写真組のインデックス写真に対応する組内の番号とを含む、焦点調整可能写真組のダウンロードデータを前記サーバーから受け取る。
【０１０８】
ステップＳ９０２において、前記パス情報により、前記サーバーから発送された焦点調整可能写真組の各写真をダウンロードする。
【０１０９】
ステップＳ９０３において、前記インデックス写真に対応する組内の番号により、前記焦点調整可能写真組のインデックス写真を設置する。
【０１１０】
該実施態様において、サーバーは下に向いて同期する過程において、アップロードした焦点調整可能写真組のインデックス写真を第１端末は変更する時、第２端末が受信したのは、サーバーが新たに発送した変更後のインデックス写真ではなく、サーバーが発送してくれた、前記焦点調整可能写真組のダウンロードデータである。この方式により、写真同期時に占用するネットワークリソースを大いに節約することができる。
【０１１１】
本発明には、第２端末は焦点調整可能写真組のインデックス写真に対応する組内の番号により、優先的に前記焦点調整可能写真組のインデックス写真をダウンロードすることができる。
【０１１２】
焦点調整可能写真組のインデックス写真を変更する時、図１０に示されるように、図９に示される実施態様の上にさらに、以下のステップを含んでもよい。
【０１１３】
ステップＳ９０４において、焦点調整可能写真の表示をサポートする場合、前記ＩＤ標識と変更後のインデックス写真に対応する組内の番号とを含む前記インデックス写真の変更情報をサーバーから受信し、前記ＩＤ標識と変更後のインデックス写真に対応する組内の番号により、前記ＩＤ標識で標識された焦点調整可能写真組のインデックス写真を変更する。
【０１１４】
ステップＳ９０５において、焦点調整可能写真の表示をサポートしない場合、前記焦点調整可能写真組の変更後のインデックス写真を、変更前のインデックス写真を入れ替えるように、サーバーから受け取る。
【０１１５】
ただし、該実施態様において、第２端末が受信したインデックス写真は、写真に対応するサムネイルまたは写真のデータであってもよい。また、第２端末が受信した焦点調整可能写真組の各写真は、写真に対応するサムネイルまたは写真のデータであってもよい。
【０１１６】
実際適用の場合、通常、サムネイルのデータ量は原始の写真のデータ量より小さい。サムネイルを同期すると、ユーザの一般的なブラウズ需要を満たすことができ、ユーザの流量の節約することができる。ユーザは該サムネイルをクリックした場合だけ、クラウドサーバーから原始写真のデータをダウンロードすることになる。勿論、ユーザの流量の節約を考えないなら、原始写真のデータを同期することも可能である。
【０１１７】
本発明は、前記方法の実施例に対応して、写真の同期を実現する端末の実施例を提供する。
【０１１８】
図１１は、第１端末の構造を示す図である。図１１を参照に、第１端末は、焦点調整可能写真の同期請求をサーバーにアップロードするための焦点調整可能写真同期請求アップロードモジュール１１１と、前記サーバーから返された、同期しようとする焦点調整可能写真組を標識するためのＩＤ標識を受信するＩＤ標識受信モジュール１１２と、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードする写真アップロードモジュール１１３と、を含んでもよい。
【０１１９】
本発明では、端末がバインディングのクラウドサーバーに同期しようとする焦点調整可能写真組をアップロードする過程において、サーバーは焦点調整可能写真組にＩＤ標識を分配し、端末は焦点調整可能写真組の各写真に組内の番号を付け、インデックス写真を特定した場合、インデックス写真に対応する組内の番号をサーバーに知らせる。サーバーは、焦点調整可能写真組に含まれる各写真に対応する組内の番号を知るので、後続の端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。
【０１２０】
図１２に示される他の第１端末の実施態様として、さらに、前記焦点調整可能写真組のインデックス写真を変更する時、前記ＩＤ標識と変更後のインデックス写真に対応する組内の番号とを含むインデックス写真の変更情報をサーバーにアップロードし、前記サーバーが前記焦点調整可能写真組のインデックス写真の変更を実行する、変更情報アップロードモジュール１１４を含んでもよい。
【０１２１】
該実施態様では、サーバーは、焦点調整可能写真組に含まれる各写真に対応する組内の番号を知るので、後続の第１端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。
【０１２２】
上記第１端末の実施態様に対応して、図１３は、サーバーの構造を示す。該サーバーは、第１端末から発送された焦点調整可能写真の同期請求を受信するための焦点調整可能写真の同期請求受信モジュール１３１と、アップロードしようとする焦点調整可能写真組を標識するためのＩＤ標識を前記第１端末に返すＩＤ標識フィードバックモジュール１３２と、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記第１端末から受信する、アップロードデータ受信モジュール１３３と、前記ＩＤ標識により前記焦点調整可能写真組の各写真の写真データと前記各写真に対応する組内の番号を記憶し、前記インデックス写真に対応する組内の番号により前記焦点調整可能写真組のインデックス写真を特定する写真記憶モジュール１３４とを含んでもよい。
【０１２３】
本発明では、端末がバインディングのクラウドサーバーに同期しようとする焦点調整可能写真組をアップロードする過程において、サーバーは焦点調整可能写真組にＩＤ標識を分配し、端末は焦点調整可能写真組の各写真に組内の番号を付け、インデックス写真を特定した場合、インデックス写真に対応する組内の番号をサーバーに知らせる。サーバーは、焦点調整可能写真組に含まれる各写真に対応する組内の番号を知るので、後続の端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。
【０１２４】
図１４に示される他のサーバーの実施態様として、さらに、前記第１端末からアップロードされた、前記ＩＤ標識と変更後のインデックス写真に対応する組内の番号を含むインデックス写真変更情報を受信する、変更情報受信モジュール１３５と、前記ＩＤ標識と変更後のインデックス写真に対応する組内の番号により、前記ＩＤ標識で標識された焦点調整可能写真組のインデックス写真を変更する、インデックス写真変更モジュール１３６とを含んでもよい。
【０１２５】
該実施態様では、端末は、焦点調整可能写真組に含まれる各写真に対応する組内の番号を知ったので、後続の第１端末がアップロードした焦点調整可能写真組のインデックス写真を変更する必要のある場合、変更後のインデックス写真を新たにアップロードする必要はなく、変更後のインデックス写真に対応する組内の番号および対応のＩＤ標識をアップロードすればよいので、写真同期時に占用するネットワークリソースを大いに節約できる。サーバーは、焦点調整可能写真組に含まれる各写真に対応する組内の番号を知ったので、第１端末がアップロードした、変更後のインデックス写真に対応する組内の番号および対応のＩＤ標識を受信すると、組内の番号により変更後のインデックス写真を特定して、インデックス写真の変更を実行することができる。
【０１２６】
図１５は、下に向いて同期を実現するサーバーの一態様を示している。該サーバーは、焦点調整可能写真の同期指示を第２端末に発送する、同期指示発送モジュール１５１と、第２端末から返された、焦点調整可能写真の表示をサポートするか否かという提示情報を受信する、提示情報受信モジュール１５２と、前記第２端末が焦点調整可能写真の表示をサポートする場合、焦点調整可能写真組のダウンロードデータを前記第２端末に発送する、第１発送モジュール１５３と、前記第２端末が焦点調整可能写真の表示をサポートしない場合、焦点調整可能写真組のインデックス写真を前記第２端末に発送する、第２発送モジュール１５４とを含んでもよい。
【０１２７】
図１６に示されるサーバーの一態様に、前記第１発送モジュール１５３は、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組に含まれる各写真に対応する組内の番号および前記焦点調整可能写真組のインデックス写真に対応する組内の番号とを含む、焦点調整可能写真組のダウンロードデータを前記第２端末に発送する、ダウンロードデータ発送ユニット１６１と、前記焦点調整可能写真組の各写真を前記第２端末に発送し、前記インデックス写真に対応する組内の番号により前記焦点調整可能写真組のインデックス写真を設置する、写真発送ユニット１６２とを含む。
【０１２８】
本発明において、前記写真発送ユニットは、前記焦点調整可能写真組のインデックス写真に対応する組内の番号により、優先的に前記焦点調整可能写真組のインデックス写真を前記第２端末に発送する。
【０１２９】
図１７に示されるサーバーの一態様は、さらに、前記第２端末は焦点調整可能写真の表示をサポートする場合、前記ＩＤ標識と変更後のインデックス写真に対応する組内の番号を含むインデックス写真の変更情報を前記第２端末に発送し、前記第２端末は前記焦点調整可能写真組のインデックス写真の変更を実行する、第１変更情報発送モジュール１５５と、前記第２端末は焦点調整可能写真の表示をサポートしない場合、前記焦点調整可能写真組の変更後のインデックス写真を、変更前のインデックス写真を入れ替えるように前記第２端末に発送する、第２変更情報発送モジュール１５６とを含んでもよい。
【０１３０】
実際適用の場合、前記第２端末に発送した前記インデックス写真は、写真に対応するサムネイルまたは写真のデータであってもよい。また、前記第２端末に発送した前記焦点調整可能写真組の各写真は、写真に対応するサムネイルまたは写真のデータであってもよい。
【０１３１】
本発明はさらに、第２端末の構造を示す図を開示した。図１８に示されるように、第２端末の一態様として、サーバーから発送された、焦点調整可能写真の同期指示を受信する、同期指示受信モジュール１８１と、焦点調整可能写真の表示をサポートするか否かという提示情報をサーバーに返送する、提示情報返送モジュール１８２と、焦点調整可能写真の表示をサポートする場合、サーバーから発送された焦点調整可能写真組のダウンロードデータを受信する、第１データ受信モジュール１８３と、焦点調整可能写真の表示をサポートしない場合、サーバーから発送された焦点調整可能写真組のインデックス写真を受信する、第２データ受信モジュール１８４とを含んでもよい。
【０１３２】
図１９に示されるように、第２端末の一態様では、前記第１データ受信モジュール１８３は、少なくとも、ダウンロードされる焦点調整可能写真組を標識するための焦点調整可能写真組のＩＤ標識と、前記焦点調整可能写真組の各写真の記憶パス情報である前記焦点調整可能写真組の各写真のパス情報と、前記焦点調整可能写真組に含まれる各写真を標識するための、前記焦点調整可能写真組に含まれる各写真に対応する組内の番号および前記焦点調整可能写真組のインデックス写真に対応する組内の番号とを含む、前記サーバーから発送された焦点調整可能写真組のダウンロードデータを受信する、ダウンロードデータ受信ユニット１９１と、前記パス情報により、前記サーバーから発送された焦点調整可能写真組の各写真をダウンロードする、写真ダウンロードユニット１９２と、前記インデックス写真に対応する組内の番号により、前記焦点調整可能写真組のインデックス写真を設置する、インデックス写真設置ユニット１９３とを含んでもよい。
【０１３３】
前記写真ダウンロードユニットは、前記焦点調整可能写真組のインデックス写真に対応する組内の番号により、優先的に前記焦点調整可能写真組のインデックス写真をダウンロードすることができる。
【０１３４】
図２０に示される第２端末の他の態様として、さらに、焦点調整可能写真の表示をサポートする場合、サーバーから発送された、前記ＩＤ標識と変更後のインデックス写真に対応する組内の番号を含むインデックス写真の変更情報を受信し、前記ＩＤ標識と変更後のインデックス写真に対応する組内の番号により、前記ＩＤ標識で標識された焦点調整可能写真組のインデックス写真を変更する、第１変更情報受信モジュール１８５と、焦点調整可能写真の表示をサポートしない場合、サーバーから発送された、前記焦点調整可能写真組の変更後のインデックス写真を、変更前のインデックス写真を入れ替えるように受信する、第２変更情報受信モジュール１８６とを含んでもよい。
【０１３５】
本発明には、前記サーバーから発送された前記インデックス写真は、写真に対応するサムネイルまたは写真のデータであり、前記サーバーから発送された前記焦点調整可能写真組の各写真は、写真に対応するサムネイルまたは写真のデータである。
【０１３６】
上記実施態様の装置に関して、各モジュールの操作方式について相関方法の実施態様において詳述したので、ここでは詳しく説明しない。
【０１３７】
図２１は例示的な一態様に示される写真を同期するための装置８００のブロック図である。例えば、装置８００は、携帯電話、コンピュータ、デジタル放送端末、メッセージングデバイス、ケーム機、タブレットデバイス、医療装置、フィットネス機器、パーソナルデジタルアシスタント（ＰＤＡ）などであってもよい。
【０１３８】
図２１を参照に、装置８００は、プロセッシングコンポーネント８０２、メモリ８０４、電源コンポーネント８０６、マルチメディアコンポーネント８０８、オーディオコンポーネント８１０、インプット／アウトプット（Ｉ／Ｏ）のインタフェース８１２、センサーコンポーネント８１４、および通信コンポーネント８１６からなる群れより選ばれる一つ以上のコンポーネントを含んでもよい。
【０１３９】
プロセッシングコンポーネント８０２は通常、装置８００の全体的な操作をコントロールする。例えば、ディスプレイ、電話の呼び出し、データ通信、カメラ操作および記録操作に関連する操作などが挙げられる。プロセッシングコンポーネント８０２は、上記方法のすべてあるいは一部のステップを完成する為に、指令を実行するように一つ以上のプロセッサ８２０を含んでもよい。また、プロッセシングコンポーネント８０２は、その他のコンポーネントとのやり取りのため、一つ以上のモジュールを含んでもよい。例えば、マルチメディアコンポーネント８０８とプロッセシングコンポーネント８０２とのやり取りに便宜を与えるため、プロッセシング８０２はマルチメディアコンポーネントを含んでもよい。
【０１４０】
メモリ８０４は、装置８００において、操作を実行するため、各種のデータを記憶するように配置されている。これらのデータの例示は、装置８００において操作する任意のアプリケーションプログラム又は方法のコマンド、連絡先データ、電話帳データ、メッセージ、画像、映像等を含む。メモリ８０４は、スタティックランダムアクセスメモリ（ＳＲＡＭ）、電気的に書き込みと消去が可能なＲＯＭ（ＥＥＰＲＯＭ）、電気的に書き込み可能なＲＯＭ（ＥＰＲＯＭ）、書き込み可能メモリ（ＰＲＯＭ）、読み出し専用メモリ（ＲＯＭ）、磁気メモリ、フラッシュメモリ、磁気ディスク又は光ディスク等の全ての種類の揮発性もしくは不揮発性メモリ、又はそれらの組み合わせにより実現することができる。
【０１４１】
電源コンポーネント８０６は装置８００における各種コンポーネントに給電する。電源コンポーネント８０６は電源管理システム、一つ又は複数の電源、およびその他の装置８００のため、電力の生成、管理及び分配と関連するコンポーネントを含むことができる。
【０１４２】
マルチメディアコンポーネント８０８は、前記装置８００とユーザとの間で出力インタフェースを提供するスクリーンを含む。一部の実施例において、スクリーンは液晶ディスプレイ（ＬＣＤ）及びタッチパネル（ＴＰ）を含むことができる。スクリーンがタッチパネルを含む場合、ユーザからの入力信号を受信するために、スクリーンはタッチスクリーンとして実現することができる。タッチ、スワイプ及びタッチパネル上の手の動きを感知するために、タッチパネルは一つ又は複数のタッチセンサを含んでいる。前記タッチセンサはタッチ又はスワイプ操作の境目を感知するだけでなく、前記タッチ又はスワイプ操作の持続時間及び圧力も感知する。一部の実施例において、マルチメディアコンポーネント８０８は一つのフロントカメラ及び／又はバックカメラを含む。装置８００が、例えば撮影モード又は映像モードなどの操作モードにある場合、フロントカメラ及び／又バックカメラは外部のマルチメディアデータを受信することができる。それぞれのフロントカメラ及びバックカメラは一つの固定の光学レンズシステム又は、焦点距離及び光学ズーム機能を有するものであってもよい。
【０１４３】
オーディオコンポーネント８１０はオーディオ信号を出力及び／又は入力するように配置されている。例えば、オーディオコンポーネント８１０は一つのマイクロフォン（ＭＩＣ）を含んでおり、装置８００が呼び出しモード、記録モード及び音声認識モードのような操作モードにある場合、マイクロフォンは外部のオーディオ信号を受信するように配置されている。受信したオーディオ信号は更にメモリ８０４に記憶されるか、又は通信コンポーネント８１６を経由して送信することができる。一部の実施例において、オーディオコンポーネント８１０は更に一つの、オーディオ信号を出力するためのスピーカーを含む。
【０１４４】
Ｉ／Ｏのインタフェース８１２は、処理コンポーネント８０２と周辺インタフェースモジュールの間でインタフェースを提供し、上述した周辺インタフェースモジュールはキーボード、クリックホイール、ボタンなどであってもよい。これらのボタンにはホームページボタン、音量ボタン、起動ボタン及びロックボタンが含まれるが、これに限定されない。
【０１４５】
センサーコンポーネント８１４は、装置８００に各方面の状態の評価を提供するために、一つ又は複数のセンサを含んでいる。例えば、センサーコンポーネント８１４は装置８００のオン／オフ状態、コンポーネントの相対位置を感知することができる。前記コンポーネントは例えば、装置８００のディスプレイ及びキーパッドであってもよく、センサーコンポーネント８１４は更に、装置８００又は装置８００の一つのコンポーネントの位置変化、ユーザと装置８００の接触の有無、装置８００の方位又は加速／減速及び、装置８００の温度変化を検出することができる。センサーコンポーネント８１４は接近センサを含むことができ、これは如何なる物理的接触がない場合においても付近の物体の存在を検出するように配置されている。センサーコンポーネント８１４は更に、イメージング応用において使用される、ＣＭＯＳ又はＣＣＤイメージセンサのような光センサを含むことができる。一部の実施例において、該センサーコンポーネント８１４は更に、加速度センサ、ジャイロセンサ、磁気センサ、圧力センサ又は温度センサを含むことができる。
【０１４６】
通信コンポーネント８１６は、装置８００がその他装置と有線又は無線方式の通信をするように配置されている。装置８００は、例えばＷｉＦｉ、２Ｇ若しくは３Ｇ、又はそれらの組み合わせなどの、通信規格に準拠した無線ネットワークに接続することができる。一つの例示的な実施例において、通信コンポーネント８１６は放送チャンネルを経由して、外部の放送管理システムからの放送信号又は、放送関連情報を受信する。一つの例示的な実施例において、前記通信コンポーネント８１６は更に近距離通信を促進するための近距離無線通信（ＮＦＣ）モジュールを含んでいる。例えば、ＮＦＣモジュールは、無線周波数識別（ＲＦＩＤ）技術、赤外線データ協会（ＩｒＤＡ）技術、超広帯域（ＵＷＢ）技術、ブルートゥース（ＢＴ）技術及びその他の技術に基づき、実現することが可能である。
【０１４７】
例示的な実施例において、装置８００は一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子デバイスにより実現することができ、上述した方法を実行するために使用される。
【０１４８】
例示的な実施例において、例えばコマンドを含むメモリ８０４のような、コマンドを含む非臨時的なコンピュータ読み取り可能な記憶媒体を提供し、上述したコマンドは装置８００のプロセッサ８２０によって実行されることで上述した方法を完成することができる。例えば、前記非臨時的なコンピュータ読み取り可能な記憶媒体はＲＯＭ、ランダムアクセスメモリ（ＲＡＭ）、ＣＤ−ＲＯＭ、磁気テープ、フロッピーディスク及び光データ記憶装置などであってもよい。
【０１４９】
非臨時的なコンピュータ可読記憶媒体であって、前記記憶媒体中の指令が移動端末のプロセッサにより実行される場合、移動端末が下記の写真の同期方法を実行することを可能にする。該方法は、サーバーに焦点調整可能写真の同期請求をアップロードすることと、前記サーバーから返された、同期しようとする焦点調整可能写真組を標識するためのＩＤ標識を受信することと、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを前記サーバーにアップロードすることとを含む。
【０１５０】
他の非臨時的なコンピュータ可読記憶媒体であって、前記記憶媒体中の指令が移動端末のプロセッサにより実行される場合、サーバーが下記の写真の同期方法を実行することを可能にする。該方法は、第１端末から発送された、焦点調整可能写真の同期請求を受信することと、同期しようとする焦点調整可能写真組を標識するためのＩＤ標識を第１端末に返すことと、記第１端末がアップロードした、少なくとも、前記ＩＤ標識と、前記焦点調整可能写真組の各写真の写真データと、前記焦点調整可能写真組に含まれる各写真を標識するための、前記各写真に対応する組内の番号および前記焦点調整可能写真組のインデックス写真に対応する組内の番号とを含む、焦点調整可能写真組のアップロードデータを受信することと、前記ＩＤ標識により前記焦点調整可能写真組の各写真の写真データと前記各写真に対応する組内の番号を記憶し、前記インデックス写真に対応する組内の番号により前記焦点調整可能写真組のインデックス写真を特定することとを含む。
【０１５１】
他の非臨時的なコンピュータ可読記憶媒体であって、前記記憶媒体中の指令が移動端末のプロセッサにより実行される場合、サーバーが下記の写真の同期方法を実行することを可能にする。該方法は、焦点調整可能写真の同期指示を第２端末に発送することと、前記第２端末から返された、焦点調整可能写真の表示をサポートするか否かという提示情報を受信することと、前記第２端末は焦点調整可能写真の表示をサポートする場合、焦点調整可能写真組のダウンロードデータを前記第２端末に発送することと、前記第２端末は焦点調整可能写真の表示をサポートしない場合、前記焦点調整可能写真組のインデックス写真を前記第２端末に発送することとを含む。
【０１５２】
他の非臨時的なコンピュータ可読記憶媒体であって、前記記憶媒体中の指令が移動端末のプロセッサにより実行される場合、移動端末が下記の写真の同期方法を実行することを可能にする。該方法は、サーバーから発送された、焦点調整可能写真の同期指示を受信することと、焦点調整可能写真の表示をサポートするか否かという提示情報をサーバーに返送することと、焦点調整可能写真の表示をサポートする場合、サーバーから発送された、焦点調整可能写真組のダウンロードデータを受信することと、焦点調整可能写真の表示をサポートしない場合、サーバーから発送された、焦点調整可能写真組のインデックス写真を受信することとを含む。
【０１５３】
図２２は本発明の実施例にかかるサーバーの構造模式図である。前記サーバー（サーバー装置）１９００はスペック又は性能の違いによって比較的大きな差異が生じる可能性があり、一つ又は一つ以上の中央処理装置（central processing units，ＣＰＵ）１９２２（例えば、一つ又は一つ以上のプロセッサ）と記憶装置１９３２、一つ又は一つ以上のアプリケーション１９４２又はデータ１９４４を記憶する記憶媒体１９３０（例えば、一つ又は一つ以上の大容量記憶装置）を含むことができる。ここで、記憶装置１９３２と記憶媒体１９３０は短期記憶又は持久記憶で構わない。記憶媒体１９３０に記憶されたプログラムは一つ又は一つ以上のモジュール（図示せず）を含むことができ、各モジュールはルータに対する一連のコマンド操作を含むことができる。更に、中央処理装置１９２２を、記憶媒体１９３０と通信し、サーバー１９００上で記憶媒体１９３０の一連のコマンド操作を実行するように設定することができる。
【０１５４】
サーバー１９００は一つ又は一つ以上の電源１９２６、一つ又は一つ以上の有線又は無線ネットワークインタフェース１９５０、一つ又は一つ以上の出入力インタフェース１９５８、一つ又は一つ以上のキーボード１９５６、及び／又は、一つ又は一つ以上のオペレーティングシステム１９４１、例えば、Windows ServerTM，Mac OS XTM，UnixTM, LinuxTM，FreeBSDTM等なども含むことができる。
【０１５５】
当業者は明細書を検討し、ここで開示した発明を実践した後、本発明のその他の実施方案を容易に思いつくことができる。本願は本発明の全ての変更、用途又は適応性のある変化を含む。これらの変更、用途又は適応性のある変化は本発明の一般的な原理に従っており、本願において未開示の本技術分野における周知技術又は慣用技術手段を含む。明細書及び実施例は例示的なものに過ぎず、本発明の真の範囲及び主旨は以下の特許請求の範囲によって示される。
【０１５６】
本発明は、上記で説明した、また図面において示した精確な構造に限定されず、その範囲を逸脱しない前提のもとで種々の変更及び修正を行うことができることを理解すべきである。本発明の範囲は付された特許請求の範囲によってのみ限定される。
【国際調査報告】
2016522949.tif 000025
2016522949.tif 000026
2016522949.tif 000027
2016522949.tif 000028